(57)【要約】  【課題】連続受信を行う通信方式において、信号を受信している状態でゲインを変化させた場合でも、ＤＣ電圧変動による過渡応答の発生が抑制される受信回路を提供する。  【課題手段】受信信号が入力されるローノイズアンプ（ＬＮＡ）１と、ＬＮＡの出力と局部発振信号とを混合するミキサ２と、ミキサの出力が入力される第１の低域通過フィルタ３と、固定ゲインアンプ４、高域通過フィルタ５、およびゲインコントロールアンプ６を入力側から順次接続して構成された複合アンプとを備える。固定ゲインアンプに第１の低域通過フィルタの出力が入力され、固定ゲインアンプのゲインは０ｄＢ以上であり、ゲインコントロールアンプの最大ゲインは０ｄＢ以下である。【選択図】図１
2006295638.tif 000002
【特許請求の範囲】
【請求項１】
受信信号が入力されるローノイズアンプ（以下ＬＮＡと略記する）と、
前記ＬＮＡの出力と局部発振信号とを混合するミキサと、
前記ミキサの出力が入力される第１の低域通過フィルタと、
固定ゲインアンプ、高域通過フィルタ、およびゲインコントロールアンプを入力側から順次接続して構成された複合アンプとを備え、
前記固定ゲインアンプに前記第１の低域通過フィルタの出力が入力され、
前記固定ゲインアンプのゲインは０ｄＢ以上であり、
前記ゲインコントロールアンプの最大ゲインは０ｄＢ以下であることを特徴とする受信回路。
【請求項２】
前記複合アンプの後段に配置された少なくとも１段の複合アンプと、
前記複合アンプ間に接続された段間高域通過フィルタと、
最終段の前記複合アンプを構成する前記ゲインコントロールアンプの出力に接続された出力部高域通過フィルタと、
前記出力部高域通過フィルタの出力と受信回路の出力端子間に挿入された第１のスイッチと、
前記第１のスイッチの出力側と接地電位との間に挿入された第２のスイッチと、
前記第１のスイッチ、前記第２のスイッチ、および全ての前記ゲインコントロールアンプのゲインを制御する制御回路とを更に備え、
前記制御回路は、ゲイン変更パルスが入力されたときに、前記第１のスイッチをオープン、前記第２のスイッチをショートにした後、全ての前記ゲインコントロールアンプのゲインを切り替え、ゲインを切り替えてから一定時間後に、前記第１のスイッチをショート、前記第２のスイッチをオープンに制御する機能を有する請求項１に記載の受信回路。
【請求項３】
受信信号が入力されるＬＮＡと、
前記ＬＮＡの出力と局部発振信号とを混合するミキサと、
前記ミキサの出力が入力される第１の低域通過フィルタと、
前記第１の低域通過フィルタの後段に配置され、各々高域通過フィルタおよびゲインコントロールアンプを順次接続して構成された多段の第二の複合アンプと、
最終段の前記第二の複合アンプを構成する前記ゲインコントロールアンプの出力に接続された出力部高域通過フィルタと、
前記出力部高域通過フィルタの出力と受信回路の出力端子間に挿入された第１のスイッチと、
前記第１のスイッチの出力側と接地電位との間に挿入された第２のスイッチと、
前記第１のスイッチ、前記第２のスイッチ、および全ての前記ゲインコントロールアンプのゲインを制御する制御回路とを備え、
前記ゲインコントロールアンプのゲインは０ｄＢ以上であり、
前記制御回路は、ゲイン変更パルスが入力されたときに、前記第１のスイッチをオープン、前記第２のスイッチをショートにした後、全ての前記ゲインコントロールアンプのゲインを切り替え、さらに、ゲインを切り替えてから一定時間後に、前記第１のスイッチをショート、前記第２のスイッチをオープンに制御する機能を有することを特徴とする受信回路。
【請求項４】
前記複合アンプの後段に配置された少なくとも１段の複合アンプと、
前記第１の低域通過フィルタと初段の前記複合アンプを構成する初段の固定ゲインアンプとの間に挿入された入力部高域通過フィルタと、
第１の抵抗、第１のコンデンサー、および前記第１の抵抗に並列に接続された第３のスイッチを有し、各段の前記複合アンプを構成する前記ゲインコントロールアンプの出力側に各々挿入されたスイッチ付高域通過フィルタと、
前記初段の固定ゲインアンプの出力側に接続され、前記初段の固定ゲインアンプと同じ構成を有し、前記初段の固定ゲインアンプの入力ＤＣ電圧と同じ電圧が入力されるダミーアンプと、
前記初段の固定ゲインアンプ、前記ダミーアンプ、前記第３のスイッチ、および全ての前記ゲインコントロールアンプのゲインを制御する制御回路とを更に備え、
前記制御回路は、ゲイン変更パルスが入力されたときに、前記初段の固定ゲインアンプをスリープ状態、前記ダミーアンプを動作状態、前記第３のスイッチをショートにした後、全ての前記ゲインコントロールアンプのゲインを切り替え、ゲインを切り替えてから一定時間後に、まず、前記３のスイッチをオープンにし、その後、前記初段の固定ゲインアンプを動作状態、前記ダミーアンプをスリープ状態にする機能を有する請求項１に記載の受信回路。
【請求項５】
受信信号が入力されるＬＮＡと、
前記ＬＮＡの出力と局部発振信号とを混合するミキサと、
前記ミキサの出力が入力される第１の低域通過フィルタと、
前記第１の低域通過フィルタの出力が入力される第１の高域通過フィルタと、
前記第１の高域通過フィルタの出力が入力される固定ゲインアンプと、
前記固定ゲインアンプの出力が入力される第２の高域通過フィルタと、
前記固定ゲインアンプの出力に接続され、前記固定ゲインアンプと同じ構成を有し、前記固定ゲインアンプの入力ＤＣ電圧と同じ電圧が入力されるダミーアンプと、
前記第２の高域通過フィルタの後段に配置された多段のゲインコントロールアンプと、
第１の抵抗、第１のコンデンサー、および前記第１の抵抗に並列に接続された第３のスイッチを有し、各段の前記ゲインコントロールアンプの出力側に各々挿入されたスイッチ付高域通過フィルタと、
前記固定ゲインアンプ、前記ダミーアンプ、前記第３のスイッチ、および全ての前記ゲインコントロールアンプのゲインを制御する制御回路とを備え、
前記ゲインコントロールアンプのゲインは０ｄＢ以上であり、
前記制御回路は、ゲイン変更パルスが入力されたときに、前記固定ゲインアンプをスリープ状態、前記ダミーアンプを動作状態、前記第３のスイッチをショートにした後、全ての前記ゲインコントロールアンプのゲインを切り替え、ゲインを切り替えてから一定時間後に、まず、前記３のスイッチをオープンにし、その後、前記固定ゲインアンプを動作状態、前記ダミーアンプをスリープ状態にする機能を有することを特徴とする受信回路。
【請求項６】
前記複合アンプの後段に配置された少なくとも１段の複合アンプと、
第１の抵抗、第１のコンデンサー、および前記第１の抵抗に並列に接続された第３のスイッチを有し、各段の前記複合アンプを構成する前記ゲインコントロールアンプの出力側に各々挿入されたスイッチ付高域通過フィルタと、
初段の前記複合アンプを構成する前記固定ゲインアンプの出力側に挿入された第４のスイッチと、
前記第４のスイッチ、前記第３のスイッチ、および全ての前記ゲインコントロールアンプのゲインを制御する制御回路とを更に備え、
前記制御回路は、ゲイン変更パルスが入力されたときに、前記第４のスイッチをオープン、前記第３のスイッチをショートにした後、前記全てのゲインコントロールアンプのゲインを切り替え、ゲインを切り替えてから一定時間後に、まず、前記第３のスイッチをオープンにし、その後、前記第４のスイッチをショートにする機能を有する請求項１に記載の受信回路。
【請求項７】
受信信号が入力されるＬＮＡと、
前記ＬＮＡの出力と局部発振信号とを混合するミキサと、
前記ミキサの出力が入力される第１の低域通過フィルタと、
前記第１の低域通過フィルタの出力が入力される高域通過フィルタと、
前記高域通過フィルタの後段に配置された多段のゲインコントロールアンプと、
第１の抵抗、第１のコンデンサー、および前記第１の抵抗に並列に接続された第３のスイッチを有し、各段の前記ゲインコントロールアンプの出力側に各々挿入されたスイッチ付高域通過フィルタと、
前記第１の低域通過フィルタと前記高域通過フィルタの間に挿入された第４のスイッチと、
前記第４のスイッチ、前記第３のスイッチおよび前記ゲインコントロールアンプのゲインを制御する制御回路とを備え、
前記ゲインコントロールアンプのゲインは０ｄＢ以上であり、
前記制御回路は、ゲイン変更パルスが入力されたときに、前記第４のスイッチをオープン、前記第３のスイッチをショートにした後、前記全てのゲインコントロールアンプのゲインを切り替え、ゲインを切り替えてから一定時間後に、まず、前記第３のスイッチをオープンにし、その後、前記第４のスイッチをショートにする機能を有することを特徴とする受信回路。
【請求項８】
前記複合アンプの後段に配置された少なくとも１段の複合アンプと、
各段の前記複合アンプを構成する前記ゲインコントロールアンプの出力側に各々挿入された複合高域通過フィルタと、
前記複合高域通過フィルタ、および前記ゲインコントロールアンプのゲインを制御する制御回路とを更に備え、
前記複合高域通過フィルタは、
前記ゲインコントロールアンプの出力側に挿入された第２のコンデンサーと、
前記第２のコンデンサーの出力側端子と接地電位との間に接続された第２の抵抗と、
前記第２のコンデンサーの入力側端子と前記第２の抵抗の接地電位側端子との間に直列接続された第２の低域通過フィルタ、第５のスイッチ、第３のコンデンサー、および第６のスイッチと、
前記第３のコンデンサーの入力側端子と前記第２のコンデンサーの入力側端子との間に挿入された第７のスイッチと、
前記第３のコンデンサーの出力側端子と前記第２のコンデンサーの出力側端子との間に挿入された第８のスイッチとを有し、
前記制御回路は、ゲイン変更パルスが入力されたときに、前記第５のスイッチと前記第６のスイッチをショート、前記第７のスイッチと前記第８のスイッチをオープンにした後、前記ゲインコントロールアンプのゲインを切り替え、ゲインを切り替えてから一定時間後に、前記第５のスイッチと前記第６のスイッチをオープン、前記第７のスイッチと前記第８のスイッチをショートにする機能を有する請求項１に記載の受信回路。
【請求項９】
受信信号が入力されるＬＮＡと、
前記ＬＮＡの出力と局部発振信号とを混合するミキサと、
前記ミキサの出力が入力される第１の低域通過フィルタと、
前記第１の低域通過フィルタの出力が入力される高域通過フィルタと、
前記高域通過フィルタの後段に配置された多段のゲインコントロールアンプと、
各段の前記複合アンプを構成する前記ゲインコントロールアンプの出力側に各々挿入された複合高域通過フィルタと、
前記複合高域通過フィルタ、および前記ゲインコントロールアンプのゲインを制御する制御回路とを備え、
前記複合高域通過フィルタは、
前記ゲインコントロールアンプの出力側に挿入された第２のコンデンサーと、
前記第２のコンデンサーの出力側端子と接地電位との間に接続された第２の抵抗と、
前記第２のコンデンサーの入力側端子と前記第２の抵抗の接地電位側端子との間に直列接続された第２の低域通過フィルタ、第５のスイッチ、第３のコンデンサー、および第６のスイッチと、
前記第３のコンデンサーの入力側端子と前記第２のコンデンサーの入力側端子との間に挿入された第７のスイッチと、
前記第３のコンデンサーの出力側端子と前記第２のコンデンサーの出力側端子との間に挿入された第８のスイッチとを有し、
前記ゲインコントロールアンプのゲインは０ｄＢ以上であり、
前記制御回路は、ゲイン変更パルスが入力されたときに、前記第５のスイッチと前記第６のスイッチをショート、前記第７のスイッチと前記第８のスイッチをオープンにした後、前記ゲインコントロールアンプのゲインを切り替え、ゲインを切り替えてから一定時間後に、前記第５のスイッチと前記第６のスイッチをオープン、前記第７のスイッチと前記第８のスイッチをショートにする機能を有することを特徴とする受信回路。
【請求項１０】
アンテナと、
固定端子部に前記アンテナが接続されたアンテナ共用器と、
前記アンテナ共用器の一方の切り替え端子に入力側が接続されたバンドパスフィルタと、
前記バンドパスフィルタの出力側に入力側が接続された請求項１から９のいずれか１項に記載の受信回路と、
前記アンテナ共用器の他方の切り替え端子に出力側が接続された送信回路とを備えた携帯電話機。
【発明の詳細な説明】
【技術分野】
【０００１】
本発明は、ダイレクトコンバージョン方式の受信回路に関するものである。
【背景技術】
【０００２】
無線通信機器に対しては、小型化と低コスト化の要求が高まっている。そのためには、高周波回路部が簡素で部品点数を削減できるダイレクトコンバージョン方式の受信回路が有利である。しかし、ダイレクトコンバージョン方式にも欠点があり、その大きな欠点の一つにがＤＣオフセット電圧である。
【０００３】
ＤＣオフセット電圧は、ベースバンド回路のゲインを増幅するに従って増幅されるために、ベースバンド回路のゲインが最大ゲイン（例えば６０ｄＢ）のときは、ＤＣオフセット電圧はベースバンド回路の電源電圧よりも大きくなり、ベースバンド回路の出力に信号が出てこなくなるという問題が発生する。
【０００４】
従来のダイレクトコンバージョン方式の受信回路における、ＤＣオフセット電圧に対する対策については、例えば、参考文献１に記載されている。参考文献１に記載された回路を図２０に示す。図２０に示す回路は、ダイレクトコンバージョン受信機のベースバンド回路である。
【０００５】
図２０において、２０１はローパスフィルター、２０２、２０４、２０６はゲインコントロールアンプ、２０３、２０５、２０７は高域通過フィルタである。２０８は利得分配回路であり、ゲインコントロールアンプ２０２、２０４、２０６の利得を制御する。２０９は高域通過フィルタの低域遮断周波数を変える制御を行う制御回路である。また、ノード２ａはこの回路の入力、ノード２ｂはこの回路の出力、ノード２ｃはゲインコントロールアンプ２０６の入力、ノード２ｄはゲインコントロールアンプ２０６の出力、ノード２ｆは、ゲインコントロールアンプ２０６のゲインを制御する制御信号線、２ｇは高域通過フィルタ２０３、２０５、２０７の低域遮断周波数を制御する制御線である。
【０００６】
この構成によれば、ゲインコントロールアンプ２０２、２０４、２０６でゲインを増加させた時には、各ゲインコントロールアンプの出力ＤＣオフセット電圧は増幅されるが、高域通過フィルタ２０３、２０５、２０７の存在により、ＤＣオフセット電圧は高域通過フィルタの出力には伝わらず、しかも、最終出力であるノード２ｂにはＤＣオフセットは発生しない。
【０００７】
従って、図２０の構成により、ベースバンド回路のゲインを最大ゲインにしても、最終出力のノード２ｂまで信号が伝わる。
【０００８】
一方、ダイレクトコンバージョン方式では、ベースバンド回路に入力される信号はベースバンド信号であり、周波数成分としてＤＣまで含むため、図２０における高域通過フィルタ２０３、２０５、２０７の低域遮断周波数は、十分小さくする必要がある。ところが、高域通過フィルタ２０３、２０５、２０７の低域遮断周波数を十分小さくした場合、ゲインを切り替えたときに、ゲインコントロールアンプ２０２、２０４、２０６の出力ＤＣオフセット電圧が変化するために、高域通過フィルタ２０３、２０５、２０７の出力で過渡応答が発生する。過渡応答の収束時間は高域通過フィルタの時定数の時間になるために、収束時間は長くなる。
【０００９】
この過渡応答は、ゲインを大きく増加させた場合には、例えば高域通過フィルタ２０５の出力での過渡応答が、ゲインコントロールアンプ２０６で増幅されるために、ベースバンド回路の出力には大きな過渡応答が長時間発生するという問題が発生する。
【００１０】
図２０の回路は、この過渡応答の問題に解決するための構成を有する。すなわち、ゲインコントロールアンプ２０２、２０４、２０６のゲインを変化させたときに、ゲインに応じて高域通過フィルタ２０３、２０５、２０７の低域遮断周波数を変化させる。具体的には、ゲインの変化量が十分小さいとき（例えば６ｄＢ未満）には、低域遮断周波数を十分小さくし、逆に、ゲインの変化が所定の値を上回る（例えば６ｄＢ以上）場合は、低域遮断周波数を高くする。これにより、ゲインを大きく増加させたときにも、ＤＣオフセットによる過渡応答をすばやく収束させることができる。
【特許文献１】特開２００３−２２４４８９号公報
【発明の開示】
【発明が解決しようとする課題】
【００１１】
上記従来例の回路の機能は、ベースバンド信号が存在しない場合には有効であるが、ベースバンド信号が入力している状態でゲインを大きく増加させた場合、ベースバンド信号の存在に起因するＤＣオフセット電圧変動による過渡応答が発生する。しかも、収束時間は、高域通過フィルタ２０３、２０５、２０７の時定数で決まるために長くなる。
【００１２】
図２０の回路にベースバンド信号が入力されている状態で、例えば、ゲインコントロールアンプ２０６のゲインを大きく増加させて、高域通過フィルタ２０３、２０５、２０７の遮断低域周波数を切り替えたときの過渡応答を図２１に示す。
【００１３】
図２１において、（ａ）はゲインコントロールアンプ２０６のゲインの制御線２ｆ、（ｂ）は高域通過フィルタ２０３、２０５、２０７の低域遮断周波数を制御する制御線２ｇ、（ｃ）はゲインコントロールアンプ２０６の入力であるノード２ｃ、（ｄ）はゲインコントロールアンプ２０６の出力であるノード２ｄ、（ｅ）はこの回路の最終出力であるノード２ｂにおける各波形を示す。
【００１４】
この図を参照して、図２０の回路の動作を説明する。図２１（ａ）、（ｂ）に示すように、時刻ｔ１でゲインコントロールアンプ２０６のゲインと高域通過フィルタ２０３、２０５、２０７の低域遮断周波数の切り替わりが行われる。また、図２１（ｂ）に示すように、時刻ｔ２の時に、高域通過フィルタの低域遮断周波数が高い状態から低い状態に切り替わる。
【００１５】
この制御を行った場合、図２１（ｃ）に示すように、ゲインコントロールアンプ２０６の入力ノードの２ｃには、信号振幅の変化、ＤＣ電圧変動は発生しないが、図２１（ｄ）に示すように、出力ノードの２ｄでは、時刻ｔ１を境に、信号の振幅が増大し、ＤＣオフセット電圧も変化する。時刻ｔ１以降は、信号の振幅及びＤＣオフセット電圧は変化しない。
【００１６】
次に、図２０の回路の最終出力であるノード２ｂでの波形について、図２１（ｅ）を参照して説明する。時刻ｔ１でゲインコントロールアンプ２０６のゲインが増幅されて、高域通過フィルタ２０７の低域遮断周波数が低い状態から高い状態に変化し、時刻ｔ２で高い状態から低い状態に変化する。そのため、時刻ｔ１からｔ２の間では、ノード２ｂでは信号が遮断されている状態になり、ＤＣのみが出力される。時刻ｔ２では、高域通過フィルタ２０７の低域遮断周波数が高い状態から低い状態に変化するため、高域通過フィルタ２０７は信号を通過させ、ノード２ｂには信号が出力される。
【００１７】
時刻ｔ２において、高域通過フィルタ２０７の入力信号の位相、この場合、ノード２ｄの信号の位相によっては、時刻ｔ２でノード２ｄに、信号振幅の半分の大きさを最大とするＤＣオフセット変動が発生する。ＤＣオフセット変動が最大になるのは、時刻ｔ２の時に、高域通過フィルタの入力信号、この場合ではノード２ｄの信号がボトム、または、ピークのときである。図２１（ｅ）には、ノード２ｄの信号がボトムのときの過渡応答を示す。
【００１８】
Ｗ−ＣＤＭＡなどの連続受信を行う通信方式では、信号を受信している状態でゲインを変化させる必要がある。従って、従来回路では、連続受信を行う通信方式の場合、信号受信中にゲインを切り替えると、ＤＣ電圧変動による過渡応答が発生する。
【００１９】
本発明は、Ｗ−ＣＤＭＡなどの連続受信を行う通信方式において、信号を受信している状態でゲインを変化させた場合でも、ＤＣ電圧変動による過渡応答の発生が抑制される受信回路を提供することを目的とする。
【課題を解決するための手段】
【００２０】
この課題を解決するために、本発明の第１の構成の受信回路は、受信信号が入力されるローノイズアンプ（以下ＬＮＡと略記する）と、前記ＬＮＡの出力と局部発振信号とを混合するミキサと、前記ミキサの出力が入力される第１の低域通過フィルタと、固定ゲインアンプ、高域通過フィルタ、およびゲインコントロールアンプを入力側から順次接続して構成された複合アンプとを備え、前記固定ゲインアンプに前記第１の低域通過フィルタの出力が入力され、前記固定ゲインアンプのゲインは０ｄＢ以上であり、前記ゲインコントロールアンプの最大ゲインは０ｄＢ以下であることを特徴とする。
【００２１】
この構成により、信号を受信している状態でゲインを大きく変化させても、ＤＣ電圧変動による過渡応答を抑制することができる。
【００２２】
第２の構成の受信回路は、第１の構成の受信回路において、前記複合アンプの後段に配置された少なくとも１段の複合アンプと、前記複合アンプ間に接続された段間高域通過フィルタと、最終段の前記複合アンプを構成する前記ゲインコントロールアンプの出力に接続された出力部高域通過フィルタと、前記出力部高域通過フィルタの出力と受信回路の出力端子間に挿入された第１のスイッチと、前記第１のスイッチの出力側と接地電位との間に挿入された第２のスイッチと、前記第１のスイッチ、前記第２のスイッチ、および全ての前記ゲインコントロールアンプのゲインを制御する制御回路とを更に備え、前記制御回路は、ゲイン変更パルスが入力されたときに、前記第１のスイッチをオープン、前記第２のスイッチをショートにした後、全ての前記ゲインコントロールアンプのゲインを切り替え、ゲインを切り替えてから一定時間後に、前記第１のスイッチをショート、前記第２のスイッチをオープンに制御する機能を有する構成を有する。
【００２３】
この構成により、回路のゲイン可変レンジを拡大しながら、信号を受信している状態でゲインを大きく変化させても、最終出力における信号の存在に起因するＤＣ電圧変動による過渡応答を抑制することができる。
【００２４】
第３の構成の受信回路は、第２の構成から固定ゲインアンプを削除した変形態様であり、受信信号が入力されるＬＮＡと、前記ＬＮＡの出力と局部発振信号とを混合するミキサと、前記ミキサの出力が入力される第１の低域通過フィルタと、前記第１の低域通過フィルタの後段に配置され、各々高域通過フィルタおよびゲインコントロールアンプを順次接続して構成された多段の第二の複合アンプと、最終段の前記第二の複合アンプを構成する前記ゲインコントロールアンプの出力に接続された出力部高域通過フィルタと、前記出力部高域通過フィルタの出力と受信回路の出力端子間に挿入された第１のスイッチと、前記第１のスイッチの出力側と接地電位との間に挿入された第２のスイッチと、前記第１のスイッチ、前記第２のスイッチ、および全ての前記ゲインコントロールアンプのゲインを制御する制御回路とを備え、前記ゲインコントロールアンプのゲインは０ｄＢ以上であり、前記制御回路は、ゲイン変更パルスが入力されたときに、前記第１のスイッチをオープン、前記第２のスイッチをショートにした後、全ての前記ゲインコントロールアンプのゲインを切り替え、さらに、ゲインを切り替えてから一定時間後に、前記第１のスイッチをショート、前記第２のスイッチをオープンに制御する機能を有することを特徴とする。
【００２５】
この構成により、回路のゲイン可変レンジを拡大し、回路規模を抑えながら、信号を受信している状態でゲインを大きく変化させても、最終出力における信号の存在に起因するＤＣ電圧変動による過渡応答を抑制することができる。
【００２６】
第４の構成の受信回路は、第１の構成の受信回路において、前記複合アンプの後段に配置された少なくとも１段の複合アンプと、前記第１の低域通過フィルタと初段の前記複合アンプを構成する初段の固定ゲインアンプとの間に挿入された入力部高域通過フィルタと、第１の抵抗、第１のコンデンサー、および前記第１の抵抗に並列に接続された第３のスイッチを有し、各段の前記複合アンプを構成する前記ゲインコントロールアンプの出力側に各々挿入されたスイッチ付高域通過フィルタと、前記初段の固定ゲインアンプの出力側に接続され、前記初段の固定ゲインアンプと同じ構成を有し、前記初段の固定ゲインアンプの入力ＤＣ電圧と同じ電圧が入力されるダミーアンプと、前記初段の固定ゲインアンプ、前記ダミーアンプ、前記第３のスイッチ、および全ての前記ゲインコントロールアンプのゲインを制御する制御回路とを更に備え、前記制御回路は、ゲイン変更パルスが入力されたときに、前記初段の固定ゲインアンプをスリープ状態、前記ダミーアンプを動作状態、前記第３のスイッチをショートにした後、全ての前記ゲインコントロールアンプのゲインを切り替え、ゲインを切り替えてから一定時間後に、まず、前記３のスイッチをオープンにし、その後、前記初段の固定ゲインアンプを動作状態、前記ダミーアンプをスリープ状態にする機能を有する構成とすることができる。
【００２７】
この構成により、回路のゲイン可変レンジを拡大し、信号を受信している状態でゲインを大きく変化させても、信号の存在に起因するＤＣ電圧変動による過渡応答を抑制することができ、高域通過フィルタの低域遮断周波数を切り替えるとき発生する受信信号の欠落時間を短くすることができる。
【００２８】
第５の構成の受信回路は、第４の構成から固定ゲインアンプを削除した変形態様であり、受信信号が入力されるＬＮＡと、前記ＬＮＡの出力と局部発振信号とを混合するミキサと、前記ミキサの出力が入力される第１の低域通過フィルタと、前記第１の低域通過フィルタの出力が入力される第１の高域通過フィルタと、前記第１の高域通過フィルタの出力が入力される固定ゲインアンプと、前記固定ゲインアンプの出力が入力される第２の高域通過フィルタと、前記固定ゲインアンプの出力に接続され、前記固定ゲインアンプと同じ構成を有し、前記固定ゲインアンプの入力ＤＣ電圧と同じ電圧が入力されるダミーアンプと、前記第２の高域通過フィルタの後段に配置された多段のゲインコントロールアンプと、第１の抵抗、第１のコンデンサー、および前記第１の抵抗に並列に接続された第３のスイッチを有し、各段の前記ゲインコントロールアンプの出力側に各々挿入されたスイッチ付高域通過フィルタと、前記固定ゲインアンプ、前記ダミーアンプ、前記第３のスイッチ、および全ての前記ゲインコントロールアンプのゲインを制御する制御回路とを備え、前記ゲインコントロールアンプのゲインは０ｄＢ以上であり、前記制御回路は、ゲイン変更パルスが入力されたときに、前記固定ゲインアンプをスリープ状態、前記ダミーアンプを動作状態、前記第３のスイッチをショートにした後、全ての前記ゲインコントロールアンプのゲインを切り替え、ゲインを切り替えてから一定時間後に、まず、前記３のスイッチをオープンにし、その後、前記固定ゲインアンプを動作状態、前記ダミーアンプをスリープ状態にする機能を有することを特徴とする。
【００２９】
この構成により、回路のゲイン可変レンジを拡大し、回路規模を抑えながら、信号を受信している状態でゲインを大きく変化させても、信号の存在に起因するＤＣ電圧変動による過渡応答を抑制することができ、高域通過フィルタの低域遮断周波数を切り替えるとき発生する受信信号の欠落時間を短くすることができる。
【００３０】
第６の構成の受信回路は、第１の構成の受信回路において、前記複合アンプの後段に配置された少なくとも１段の複合アンプと、第１の抵抗、第１のコンデンサー、および前記第１の抵抗に並列に接続された第３のスイッチを有し、各段の前記複合アンプを構成する前記ゲインコントロールアンプの出力側に各々挿入されたスイッチ付高域通過フィルタと、初段の前記複合アンプを構成する前記固定ゲインアンプの出力側に挿入された第４のスイッチと、前記第４のスイッチ、前記第３のスイッチ、および全ての前記ゲインコントロールアンプのゲインを制御する制御回路とを更に備え、前記制御回路は、ゲイン変更パルスが入力されたときに、前記第４のスイッチをオープン、前記第３のスイッチをショートにした後、前記全てのゲインコントロールアンプのゲインを切り替え、ゲインを切り替えてから一定時間後に、まず、前記第３のスイッチをオープンにし、その後、前記第４のスイッチをショートにする機能を有する構成とすることができる。
【００３１】
この構成により、回路のゲイン可変レンジを拡大し、回路規模を抑えながら、信号を受信している状態でゲインを大きく変化させても、信号の存在に起因するＤＣ電圧変動による過渡応答を抑制することができ、高域通過フィルタの低域遮断周波数を切り替えるとき発生する受信信号の欠落時間を短くすることができる。
【００３２】
第７の構成の受信回路は、第６の構成から固定ゲインアンプを削除した変形態様であり、受信信号が入力されるＬＮＡと、前記ＬＮＡの出力と局部発振信号とを混合するミキサと、前記ミキサの出力が入力される第１の低域通過フィルタと、前記第１の低域通過フィルタの出力が入力される高域通過フィルタと、前記高域通過フィルタの後段に配置された多段のゲインコントロールアンプと、第１の抵抗、第１のコンデンサー、および前記第１の抵抗に並列に接続された第３のスイッチを有し、各段の前記ゲインコントロールアンプの出力側に各々挿入されたスイッチ付高域通過フィルタと、前記第１の低域通過フィルタと前記高域通過フィルタの間に挿入された第４のスイッチと、前記第４のスイッチ、前記第３のスイッチおよび前記ゲインコントロールアンプのゲインを制御する制御回路とを備え、前記ゲインコントロールアンプのゲインは０ｄＢ以上であり、前記制御回路は、ゲイン変更パルスが入力されたときに、前記第４のスイッチをオープン、前記第３のスイッチをショートにした後、前記全てのゲインコントロールアンプのゲインを切り替え、ゲインを切り替えてから一定時間後に、まず、前記第３のスイッチをオープンにし、その後、前記第４のスイッチをショートにする機能を有することを特徴とする。
【００３３】
この構成により、回路のゲイン可変レンジを拡大し、回路規模を抑えながら、信号を受信している状態でゲインを大きく変化させても、信号の存在に起因するＤＣ電圧変動による過渡応答を抑制することができ、高域通過フィルタの低域遮断周波数を切り替えるとき発生する受信信号の欠落時間を短くすることができる。
【００３４】
第８の構成の受信回路は、第１の構成の受信回路において、前記複合アンプの後段に配置された少なくとも１段の複合アンプと、各段の前記複合アンプを構成する前記ゲインコントロールアンプの出力側に各々挿入された複合高域通過フィルタと、前記複合高域通過フィルタ、および前記ゲインコントロールアンプのゲインを制御する制御回路とを更に備えた構成とすることができる。前記複合高域通過フィルタは、前記ゲインコントロールアンプの出力側に挿入された第２のコンデンサーと、前記第２のコンデンサーの出力側端子と接地電位との間に接続された第２の抵抗と、前記第２のコンデンサーの入力側端子と前記第２の抵抗の接地電位側端子との間に直列接続された第２の低域通過フィルタ、第５のスイッチ、第３のコンデンサー、および第６のスイッチと、前記第３のコンデンサーの入力側端子と前記第２のコンデンサーの入力側端子との間に挿入された第７のスイッチと、前記第３のコンデンサーの出力側端子と前記第２のコンデンサーの出力側端子との間に挿入された第８のスイッチとを有する。前記制御回路は、ゲイン変更パルスが入力されたときに、前記第５のスイッチと前記第６のスイッチをショート、前記第７のスイッチと前記第８のスイッチをオープンにした後、前記ゲインコントロールアンプのゲインを切り替え、ゲインを切り替えてから一定時間後に、前記第５のスイッチと前記第６のスイッチをオープン、前記第７のスイッチと前記第８のスイッチをショートにする機能を有する。
【００３５】
この構成により、回路のゲイン可変レンジを拡大し、信号を受信している状態でゲインを大きく変化させても、信号の存在に起因するＤＣ電圧変動による過渡応答を抑制することができ、高域通過フィルタの低域遮断周波数を切り替えるとき発生する受信信号の欠落を抑制することができる。
【００３６】
第９の構成の受信回路は、第８の構成から固定ゲインアンプを削除した変形態様であり、受信信号が入力されるＬＮＡと、前記ＬＮＡの出力と局部発振信号とを混合するミキサと、前記ミキサの出力が入力される第１の低域通過フィルタと、前記第１の低域通過フィルタの出力が入力される高域通過フィルタと、前記高域通過フィルタの後段に配置された多段のゲインコントロールアンプと、各段の前記複合アンプを構成する前記ゲインコントロールアンプの出力側に各々挿入された複合高域通過フィルタと、前記複合高域通過フィルタ、および前記ゲインコントロールアンプのゲインを制御する制御回路とを備える。前記複合高域通過フィルタは、前記ゲインコントロールアンプの出力側に挿入された第２のコンデンサーと、前記第２のコンデンサーの出力側端子と接地電位との間に接続された第２の抵抗と、前記第２のコンデンサーの入力側端子と前記第２の抵抗の接地電位側端子との間に直列接続された第２の低域通過フィルタ、第５のスイッチ、第３のコンデンサー、および第６のスイッチと、前記第３のコンデンサーの入力側端子と前記第２のコンデンサーの入力側端子との間に挿入された第７のスイッチと、前記第３のコンデンサーの出力側端子と前記第２のコンデンサーの出力側端子との間に挿入された第８のスイッチとを有し、前記ゲインコントロールアンプのゲインは０ｄＢ以上であり、前記制御回路は、ゲイン変更パルスが入力されたときに、前記第５のスイッチと前記第６のスイッチをショート、前記第７のスイッチと前記第８のスイッチをオープンにした後、前記ゲインコントロールアンプのゲインを切り替え、ゲインを切り替えてから一定時間後に、前記第５のスイッチと前記第６のスイッチをオープン、前記第７のスイッチと前記第８のスイッチをショートにする機能を有する。
【００３７】
この構成により、回路のゲイン可変レンジを拡大し、回路規模を抑えながら、信号を受信している状態でゲインを大きく変化させても、信号の存在に起因するＤＣ電圧変動による過渡応答を抑制することができ、高域通過フィルタの低域遮断周波数を切り替えるとき発生する受信信号の欠落を抑制することができる。
【００３８】
本発明の携帯電話機は、アンテナと、固定端子部に前記アンテナが接続されたアンテナ共用器と、前記アンテナ共用器の一方の切り替え端子に入力側が接続されたバンドパスフィルタと、前記バンドパスフィルタの出力側に入力側が接続された上記のいずれかの構成受信回路と、前記アンテナ共用器の他方の切り替え端子に出力側が接続された送信回路とを備える。
【００３９】
この構成により、連続受信を行う通信方式において、信号を受信している状態でゲインを大きく変化させても、ＤＣ電圧変動による過渡応答を抑制することができ、連続受信を行っても受信品質が劣化しない、優れた携帯電話を提供することができる。
【発明の効果】
【００４０】
本発明の受信回路によれば、連続受信を行う通信方式において、信号を受信している状態でゲインを大きく変化させても、ＤＣ電圧変動による過渡応答を抑制することができ、連続受信を行っても受信品質が劣化しない、優れた受信回路及び、携帯電話を実現できる。
【発明を実施するための最良の形態】
【００４１】
以下に、本発明の実施の形態について、図面を参照して説明する。
【００４２】
（第１の実施形態）
本発明の第１の実施形態におけるダイレクトコンバージョン方式の受信回路について、図１〜３、および図２２を参照して説明する。
【００４３】
図１は、本実施形態の受信回路を構成するベースバンド回路を示す。この回路は、ローノイズアンプ（以下ＬＮＡと略記する）１、ミキサ２、低域通過フィルタ３、固定ゲインアンプ４、高域通過フィルタ５、およびゲインコントロールアンプ６を備えている。固定ゲインアンプ４の出力が高域通過フィルタ５に入力され、高域通過フィルタ５の出力がゲインコントロールアンプ６に入力されている。固定ゲインアンプ４のゲインは０ｄＢ以上であり、ゲインコントロールアンプ６の最大ゲインは０ｄＢ以下である。
【００４４】
このように、ゲイン０ｄＢ以上の固定ゲインアンプ４と、最大ゲインが０ｄＢ以下のゲインコントロールアンプ６により構成された回路の動作について、図２２に示す、ゲインコントロールアンプ２１４のみで構成された従来回路の場合と比較して説明する。図２２の回路は、ＬＮＡ２１１、ミキサ２１２、低域通過フィルタ２１３、ゲインコントロールアンプ２１４、および高域通過フィルタ２１５を備え、ゲインコントロールアンプ２１４の出力に高域通過フィルタ２１５の入力が接続される。この回路は、図１の回路と本質的には同じである。
【００４５】
図１の回路と図２２の回路について、同じ大きさのゲインを変化させた時の過渡応答について比較する。
【００４６】
図１の回路において、ＬＮＡ１、ミキサ２、低域通過フィルタ３、および高域通過フィルタ５のそれぞれのゲインを０ｄＢ、固定ゲインアンプ４のゲインをＡｄＢ、ゲインコントロールアンプ６のゲイン可変範囲を、−ＡｄＢ〜０ｄＢとする。一方、図２２の回路において、ＬＮＡ２１１、ミキサ２１２、低域通過フィルタ２１３、および高域通過フィルタ２１５のゲインをそれぞれ０ｄＢ、ゲインコントロールアンプのゲイン可変範囲を０ｄＢ〜ＡｄＢとする。このようにすれば、図１、図２２のどちらの回路も、回路全体としては、ゲイン可変範囲は０ｄＢ〜ＡｄＢとなる。
【００４７】
ここでは、図１のゲインコントロールアンプ６と図２２のゲインコントロールアンプ２１４とは同じ回路形式で、ゲインの可変範囲のみ相違するものとする。
【００４８】
上記構成において、ゲインを０ｄＢからＡｄＢまで変化させたときの、図１、図２２の回路における各ゲインコントロールアンプ６、２１４の出力のＤＣオフセット電圧の変化量と、最終出力での過渡応答について説明する。
【００４９】
図１、図２２の回路のゲインを０ｄＢからＡｄＢに変化させたとき、図１の回路ではゲインコントロールアンプ６のゲインが−ＡｄＢから０ｄＢに変化し、図２２の回路ではゲインコントロールアンプ２１４のゲインが０ｄＢからＡｄＢに変化する。
【００５０】
図２は、ゲインコントロールアンプのゲインとゲインコントロールアンプ出力のＤＣオフセット電圧の関係を表す。横軸がゲイン（リニア）であり、縦軸がＤＣオフセット電圧である。図２に示すように、ＤＣオフセット電圧は、ゲインに比例して増加する。図２において、ゲインＧ１＝−ＡｄＢの時のＤＣオフセット電圧をＶｄｃ１、ゲインＧ０＝０ｄＢの時のＤＣオフセット電圧をＶｄｃ０、ゲインＧ２＝ＡｄＢの時のＤＣオフセット電圧をＶｄｃ２とする。
【００５１】
図１の回路でゲインを０ｄＢからＡｄＢまで変化させる時、ゲインコントロールアンプ６のゲインは、−ＡｄＢから０ｄＢまで変化し、ゲインコントロールアンプ６の出力のＤＣオフセット電圧変化量をΔＶ１とすれば、（数１）の関係になる。
【００５２】
ΔＶ１＝Ｖｄｃ０−Ｖｄｃ１      ・・・（数１）
図２２の回路でゲインを０ｄＢからＡｄＢまで変化させる時、ゲインコントロールアンプ２１４のゲインは、０ｄＢからＡｄＢまで変化し、ゲインコントロールアンプ２１４の出力のＤＣオフセット電圧変化量をΔＶ２とすれば、（数２）の関係になる。
【００５３】
ΔＶ２＝Ｖｄｃ２−Ｖｄｃ０      ・・・（数２）
ここで、ΔＶ１とΔＶ２の値の大きさについて比較する。図２に示すように、ゲインコントロールアンプの出力ＤＣオフセット電圧はリニアのゲインに比例するため、ゲインを−ＡｄＢから０ｄＢまで変化させたときのＤＣオフセット電圧変動のほうが、ゲインをＡｄＢから０ｄＢまで変化させたときのＤＣオフセット電圧変動より必ず小さくなる。
【００５４】
−ＡｄＢのリニアゲインは、１０-A/20、０ｄＢのリニアゲインは、１、ＡｄＢのリニアゲインは、１０A/20であり、ＤＣオフセット電圧は、リニアのゲインに比例することから、ΔＶ１とΔＶ２の関係は（数３）により表される。
【００５５】
ΔＶ２／ΔＶ１＝（Ｖｄｃ２−Ｖｄｃ０）／（Ｖｄｃ０−Ｖｄｃ１）
＝（１０A/20−１）／（１−１０-A/20）
＝１０A/20                                ・・・（数３）
（数３）より、ΔＶ２は、ΔＶ１の１０A/20倍の大きさになる。仮に、Ａ＝２０であれば、（数３）よりΔＶ２／ΔＶ１＝１０となり、ΔＶ２はΔＶ１の１０倍の大きさになる。
【００５６】
図１の回路の最終出力は、ゲインコントロールアンプ６の出力になる。従って、図１の回路のゲインが０ｄＢからＡｄＢに増加するときは、ゲインコントロールアンプ６のゲインが−ＡｄＢから０ｄＢに変化するため、ゲインコントロールアンプ６の出力ＤＣオフセット電圧はΔＶ１の量だけ変化し、最終出力のＤＣオフセット電圧変動もΔＶ１となる。
【００５７】
これに対して、図２２の回路のゲインが０ｄＢからＡｄＢに増加するときは、ゲインコントロールアンプ２１４のゲインが０ｄＢからＡｄＢに変化するため、ゲインコントロールアンプ２１４の出力のＤＣオフセット電圧の変化はΔＶ２であり、ΔＶ１の１０A/20倍の大きさになる。そのため、最終出力では、ゲイン変化時にΔＶ２のＤＣオフセット電圧のずれが発生し、高域通過フィルタ２１５の時定数の時間をかけてＤＣオフセット電圧変化が収束する過渡応答が発生する。
【００５８】
図１の回路の最終両相出力のプラス出力をａ１、マイナス出力をａ２とし、図２２のゲインコントロールアンプ２１４の両相出力のプラス出力を２ｈ１、マイナス出力を２ｈ２とし、図２２の回路の最終両相出力のプラス出力を２ｉ１、マイナス出力を２ｉ２とし、図１、図２２の回路のゲインを０ｄＢからＡｄＢまで切り替えたときの、出力ａ１、ａ２、２ｉ１、２ｉ２の過渡応答を図３（ａ）に、出力２ｈ１、２ｈ２の過渡応答を、図３（ｂ）に示す。
【００５９】
図３に示すように、従来例である図２２の回路の最終出力（２ｉ１−２ｉ２）では、本実施形態である図１の回路での変動量ΔＶ１の１０A/20倍の大きさのＤＣ電圧変動を伴う過渡応答が発生する。図２２でのＤＣ電圧変動量を基準に考えると、図１の回路の最終出力（ａ１−ａ２）のＤＣオフセット電圧変動量は、図２２の回路の最終出力（２ｉ１−２ｉ２）のＤＣオフセット変動量と比較して、１０-A/20倍に抑制することができる。例えばＡ＝２０の場合、つまり、ゲインを０ｄＢから２０ｄＢまで変化させた場合の本実施形態の回路のＤＣオフセット電圧変動量は、従来回路のＤＣオフセット電圧変動量の１／１０に抑制することができる。
【００６０】
さらに、ゲインを切り替えるときには出力のＤＣオフセット電圧がわずかに変化するだけなので、信号を受信している状態でゲインを大きく切り替えても、信号の品質を劣化させることはほとんど無い。
【００６１】
以上のとおり、本発明の第１の実施形態によれば、信号を受信している状態でゲインを大きく変化させても、ＤＣ電圧変動による過渡応答を抑制できるとともに、信号の品質の劣化も抑制することができる。
【００６２】
（第２の実施形態）
本発明の第２の実施形態におけるダイレクトコンバージョン方式の受信回路について、図４、図５を参照して説明する。
【００６３】
図４は、本実施形態の受信回路を構成するベースバンド回路を示す。この回路は、図１に示した第１の実施形態の回路と同様のＬＮＡ２１、ミキサ２２、および低域通過フィルタ２３を備え、その後段に、図１の回路と同様の、固定ゲインアンプ２４，２８、高域通過フィルタ２５、２９、およびゲインコントロールアンプ２６，３０をそれぞれ組み合わせた複合アンプ３７，３８を多段に接続して構成される。固定ゲインアンプ２４，２８のゲインは０ｄＢ以上で、ゲインコントロールアンプ２６，３０の最大ゲインは０ｄＢ以下である。図４の回路では２段の複合アンプ３７，３８が用いられるが、より多段に接続してもよい。
【００６４】
複合アンプ３７，３８の後段にはそれぞれ、高域通過フィルタ２７、３１が接続されている。最終段の複合アンプ３８のゲインコントロールアンプ３０の出力側に接続された高域通過フィルタ３１は、その出力側が第１のスイッチ３２，３３と第２のスイッチ３４，３５に接続されている。
【００６５】
さらに、制御回路３６が、ゲイン制御線ｆによりゲインコントロールアンプ２６，３０と接続され、スイッチ制御線ｇにより第１のスイッチ３２，３３、および第２のスイッチ３４，３５と接続されている。但し、第１のスイッチ３２，３３と制御回路３６の間には、インバータ３９が挿入されている。このように、制御回路３６は、第１のスイッチ３２，３３、第２のスイッチ３４，３５、および全てのゲインコントロールアンプ２６，３０のゲインを制御する。
【００６６】
制御回路３６は、制御回路入力線ｅからゲイン変更パルスが入力されたときに、第１のスイッチ３２，３３をオープン、第２のスイッチ３４，３５をショートにした後、全てのゲインコントロールアンプ２６，３０のゲインを切り替え、さらに、ゲインを切り替えてから一定時間後に、第１のスイッチ３２，３３をショート、第２のスイッチ３４，３５をオープンに制御する機能を持つ。
【００６７】
図１の受信回路では、ゲインコントロールアンプは１個のみで構成されているため、図１の回路の歪特性等を維持しながらゲイン可変範囲を増加させるには限界がある。歪特性等を維持しながらゲイン可変範囲を増加させるには、図４のように、複合アンプ３７，３８を多段に接続することが効果的である。
【００６８】
さらに、制御回路３６により、第１のスイッチ３２，３３、第２のスイッチ３４，３５、およびゲインコントロールアンプ２６、３０を、制御回路入力線ｅから入力されるゲイン変更パルスに同期して制御する。
【００６９】
この構成および制御により、歪特性等を維持し、ゲイン変化時の最終出力のＤＣオフセット電圧変動を抑えながら、ゲイン可変範囲を増加させることができる。
【００７０】
図５を参照して、図４の回路に信号が入力されている状態でのゲイン切り替え時における、制御回路３６による、ゲインコントロールアンプ２６，３０、第１のスイッチ３２，３３、および第２のスイッチ３４，３５に対する制御方法と、そのときの過渡応答について説明する。図４において、ゲインコントロールアンプ２６の両相出力のプラス出力をｂ１、マイナス出力をｂ２とし、高域通過フィルタ３１の両相出力のプラス出力をｃ１、マイナス出力をｃ２とし、図４の最終両相出力のプラス出力をｄ１、マイナス出力をｄ２とする。
【００７１】
第１のスイッチ３２、３３は、スイッチ制御線ｇの信号をインバータ３９により反転させた信号により制御されるので、第１のスイッチ３２、３３の制御は、第２のスイッチ３４、３５の制御と常に逆になる。つまり、第１のスイッチ３２、３３がオンのときは第２のスイッチ３４、３５はオフ、第１のスイッチ３２、３３がオフのときは第２のスイッチ３４、３５はオンとなる。
【００７２】
図５の（ａ）は制御回路入力線ｅの信号、（ｂ）はゲイン制御線ｆの信号、（ｃ）はスイッチ制御線ｇの信号、（ｄ）は第１のスイッチ３２，３３の状態、（ｅ）は第２のスイッチ３４，３５の状態、（ｆ）はゲインコントロールアンプ２６の出力（ｂ１−ｂ２）、（ｇ）は高域通過フィルタ３１の出力（ｃ１−ｃ２）、（ｈ）は最終出力（ｄ１−ｄ２）の、各パルス及び過渡応答を示す。
【００７３】
ゲインを切り替えるときの制御について説明する。第１のスイッチ３２、３３と第２のスイッチ３４、３５は、Ｈｉｇｈ状態でオン、Ｌｏｗ状態でオフになるものとする。
【００７４】
制御回路入力線ｅから、時刻ｔ１にゲイン切り替えパルスが入力されると、時刻ｔ１ではスイッチ制御線ｇがＬｏｗ状態からＨｉｇｈ状態に切り替わり、第１のスイッチ３２、３３がオフ、第２のスイッチ３４、３５はオンになる。その後、時刻ｔ２にゲイン制御線ｆの信号によってゲインコントロールアンプ２６、３０のゲインが切り替わり、その後の時刻ｔ３に、スイッチ制御線ｇがＨｉｇｈ状態からＬｏｗ状態に切り替わり、第１のスイッチ３２、３３がオン、第２のスイッチ３４、３５はオフになる。上記制御における過渡応答について説明する。
【００７５】
まず、ゲインコントロールアンプ２６の出力（ｂ１、ｂ２）での過渡応答について説明する。このノードでは、図５（ｆ）に示すように、時刻ｔ１では過渡応答などの現象が発生せず、時刻ｔ２でゲインコントロールアンプのゲインが変化すると、信号が増幅され、ＤＣオフセット電圧がステップ状に変化する。ここでのＤＣオフセット電圧の変動は、問題にならない程度の大きさである。時刻ｔ３の時も過渡応答などの現象が発生せず、ゲインコントロールアンプ２６の出力（ｂ１、ｂ２）では、時刻ｔ２の時にＤＣオフセット電圧変動が発生するのみである。
【００７６】
次に、高域通過フィルタ３１の出力（ｃ１、ｃ２）での過渡応答について説明する。このノードでは、図５（ｇ）に示すように、時刻ｔ１では過渡応答などの現象が発生せず、時刻ｔ２でゲインコントロールアンプのゲインが変化すると、信号が増幅され、ゲイン切り替えタイミングと同期してＤＣオフセット電圧が変化する。その結果、高域通過フィルタ３１の時定数の時間をかけて収束する過渡応答が発生する。このＤＣオフセット電圧の変動は、ゲインコントロールアンプ２６の出力ＤＣオフセット電圧の変動が、固定ゲインアンプ２８とゲインコントロールアンプ３０で増幅されることにより発生する変動であり、変動量としては大きくなるが、一定時間後には収束する。時刻ｔ３の時は過渡応答などの現象が発生せず、高域通過フィルタ３１の出力（ｃ１、ｃ２）で過渡応答が発生するのは時刻ｔ２の時のみである。
【００７７】
次に、図４の最終出力（ｄ１、ｄ２）での過渡応答について説明する。時刻ｔ１には、第１のスイッチ３２、３３がオフ、第２のスイッチ３４、３５はオンになるために、図５（ｈ）に示すように、最終出力（ｄ１、ｄ２）は、時刻ｔ１ではＧＮＤに接続されて信号が出力されなくなる。ＧＮＤは高域通過フィルタ３１の基準電位と同じであるので、時刻ｔ１で最終出力（ｄ１、ｄ２）がＧＮＤに接続されても、ＤＣオフセット変動は発生しない。時刻ｔ２では、時刻ｔ１での最終出力（ｄ１、ｄ２）の状態からの変化は無い。
【００７８】
時刻ｔ３では、第１のスイッチ３２、３３がオン、第２のスイッチ３４、３５はオフになるために、図５（ｈ）に示すように、最終出力（ｄ１、ｄ２）には、高域通過フィルタ３１の信号がそのまま出力される。
【００７９】
ｔ３の時刻は、時刻ｔ２から時刻ｔ３までの時間が高域通過フィルタ３１の出力（ｃ１、ｃ２）で発生する過渡応答の収束時間より長くなるように設定する。このｔ３の時刻設定により、時刻ｔ３では、高域通過フィルタ３１の出力（ｃ１、ｃ２）の過渡応答が収束しているため、最終出力（ｄ１、ｄ２）にはＤＣオフセット変動による過渡応答は発生しない。
【００８０】
以上のように、本発明の第２の実施形態によれば、回路のゲイン可変レンジを拡大しながら、信号を受信している状態でゲインを大きく変化させても、最終出力における信号の存在に起因するＤＣ電圧変動による過渡応答を抑制することができる。
【００８１】
（第３の実施形態）
本発明の第３の実施形態におけるダイレクトコンバージョン方式の受信回路について、図６を参照して説明する。
【００８２】
図６は、本実施形態の受信回路を構成するベースバンド回路を示す。この回路は、図４に示した第２の実施形態の回路から、固定ゲインアンプ２４、２８、および高域通過フィルタ２９を削除した構成を有する。但し、複数のゲインコントロールアンプ３０１、３０２は、０ｄＢ以上のゲインを持つ点が、図４の回路とは相違する。図６において、図４と同じ符号を付した素子は、図４と同様の機能を有する。
【００８３】
さらに制御回路３６は、第２の実施形態の回路と同様に、ゲイン変更パルスが入力されたときに、第１のスイッチ３２、３３をオープン、第２のスイッチ３４、３５をショートにした後に、ゲインコントロールアンプ３０１、３０２のゲインを切り替え、さらに、ゲインを切り替えてから一定時間後に、第１のスイッチ３２、３３をショート、第２のスイッチ３４、３５をオープンに制御する機能を有する。
【００８４】
図６の回路と図４の回路を比較すると、固定ゲインアンプが無くなり、高域通過フィルタの数が減少し、ゲインコントロールアンプ３０１、３０２のゲイン最大ゲインが０ｄＢ以上になった以外は同じ構成であり、ゲインコントロールアンプ３０１、３０２のゲインと第１のスイッチ３２、３３と、第２のスイッチ３４、３５の制御方法も同じである。従って、ゲイン切り替え時の過渡応答を図４と図６で比較した場合、図６のゲインコントロールアンプ３０１、３０２の最大ゲインが０ｄＢ以上であるために、ゲインコントロールアンプ３０１、３０２の出力ＤＣオフセット電圧変動が、図４のゲインコントロールアンプ２６、３０の出力ＤＣオフセット電圧変動より大きくなる。
【００８５】
このため、図４の回路における最終出力に最も近い高域通過フィルタ３１の出力でのゲイン切り替え時の過渡応答と比較すると、図６における最終出力に最も近い高域通過フィルタ３１の出力での過渡応答は、ＤＣオフセット電圧変動が大きくなり、過渡応答が収束する時間も長くなる。
【００８６】
従って、図６の回路では、ゲイン切り替え時に、ゲインコントロールアンプ３０１、３０２のゲインを切り替えてから、第１のスイッチ３２、３３をショート、第２のスイッチ３４、３５をオープンにするまでの時間を、図４の回路での時間より長くする。それにより、高域通過フィルタ３１の出力での過渡応答が収束してから第１のスイッチ３２、３３をショート、第２のスイッチ３４、３５をオープンにすることになり、最終出力でのＤＣオフセット変動による過渡応答の発生を抑制することができる。
【００８７】
また、図４の回路と比較して、図６の回路では固定ゲインアンプを削除でき、さらに高域通過フィルタの数を減らすことができるために、回路規模を小さくすることができる。
【００８８】
以上のように、本発明の第３の実施形態によれば、回路のゲイン可変レンジを拡大し、回路規模の増大を抑えながら、信号を受信している状態でゲインを大きく変化させても、最終出力における信号の存在に起因するＤＣ電圧変動による過渡応答を抑制することができる。
【００８９】
（第４の実施形態）
本発明の第４の実施形態におけるダイレクトコンバージョン方式の受信回路について、図７、図８、図９を参照して説明する。
【００９０】
図７は、本実施形態の受信回路を構成するベースバンド回路を示す。この回路は、図１に示した回路と同様の、ＬＮＡ２１、ミキサ２２、および低域通過フィルタ２３を備え、また、図１に示した回路と同様の固定ゲインアンプ４２、４７、高域通過フィルタ４４、４８およびゲインコントロールアンプ４５、４９をそれぞれ組合わせた複合アンプ５２、５３が多段に（図では２段）に接続されて構成される。固定ゲインアンプ４２、４７のゲインは０ｄＢ以上で、ゲインコントロールアンプ４５、４９の最大ゲインは０ｄＢ以下である。
【００９１】
複合アンプ５２と複合アンプ５３の間には、高域通過フィルタ４６が挿入され、出力に最も近いゲインコントロールアンプ４９の出力には、高域通過フィルタ５０が接続され、入力に最も近い第１の固定ゲインアンプ４２の入力側に高域通過フィルタ４１が挿入されている。また、第１の固定ゲインアンプ４２の出力端子には、第１の固定ゲインアンプ４２と同じ構成を持つダミーアンプ４３の出力端子が接続され、ダミーアンプ４３の入力には、第１の固定ゲインアンプ４２の入力ＤＣ電圧と同じ電圧が入力される。
【００９２】
高域通過フィルタのうち、ゲインコントロールアンプ４５、４９の出力側に接続される高域通過フィルタ４６、５０は、それぞれ、第１の抵抗４６ｅ、４６ｆ、５０ｅ、５０ｆ、第１のコンデンサー４６ｃ、４６ｄ、５０ｃ、５０ｄ、および第３のスイッチ４６ａ、４６ｂ、５０ａ、５０ｂから構成される。
【００９３】
さらに、第１の固定ゲインアンプ４２、ダミーアンプ４３、およびゲインコントロールアンプ４５、４９のゲイン、および第３のスイッチ４６ａ、４６ｂ、５０ａ、５０ｂのオン、オフを制御する制御回路５１を備える。
【００９４】
制御回路５１は、制御回路入力線ｅからゲイン変更パルスが入力されたときに、第１の固定ゲインアンプ４２をスリープ状態、ダミーアンプ４３を動作状態、第３のスイッチ４６ａ、４６ｂ、５０ａ、５０ｂをショートにした後、ゲインコントロールアンプ４５、４９のゲインを切り替え、さらに、ゲインを切り替えてから一定時間後に、まず、第３のスイッチ４６ａ、４６ｂ、５０ａ、５０ｂをオープンにし、その後で第１の固定ゲインアンプ４２を動作状態、ダミーアンプ４３をスリープ状態にする機能を持つ。
【００９５】
図４の第２の実施形態の受信回路では、信号を入力した状態でゲインを大きく切り替えても、最終出力（ｄ１、ｄ２）では、ＤＣオフセット電圧の変動は発生しない。しかし、ゲイン切り替え時には、第１のスイッチ３２、３３がオフ、第２のスイッチ３４、３５がオンの状態が一定期間発生し、その期間は高域通過フィルタ２７、２９、３０の時定数の時間以上になるため、長い期間、信号が最終出力に出力されずに信号が長時間欠落する。
【００９６】
そこで、本実施形態では図７に示す回路構成をとり、上述のように制御を行うことで、回路のゲイン可変レンジを拡大し、信号を受信している状態でゲインを大きく変化させても、最終出力におけるＤＣ電圧変動による過渡応答を抑制することができ、しかも、ゲイン切り替え時の信号の欠落時間を短くすることができる。図８、図９を参照して、図７の回路の制御回路５１による信号入力時でのゲイン切り替え時における、ゲインコントロールアンプ４５、４９、高域通過フィルタ４６、５０を構成する第３のスイッチ４６ａ、４６ｂ、５０ａ、５０ｂ、第１の固定ゲインアンプ４２、およびダミーアンプ４３の制御方法と、そのときの過渡応答について説明する。
【００９７】
図７において、高域通過フィルタ４１の両相出力のプラス出力をｈ１、マイナス出力をｈ２、第１の固定ゲインアンプ４２の両相出力のプラス出力をｉ１、マイナス出力をｉ２、ゲインコントロールアンプ４５の両相出力のプラス出力をｊ１、マイナス出力をｊ２、高域通過フィルタ４６の両相出力のプラス出力をｋ１、マイナス出力をｋ２、ゲインコントロールアンプ４８の両相出力のプラス出力をｐ１、マイナス出力をｐ２、最終出力に接続される高域通過フィルタ５０の両相出力のプラス出力をｌ１、マイナス出力をｌ２とする。制御回路５１への入力のための制御回路入力線をｅとする。制御回路５１から出力されるゲインコントロールアンプ４５、４９を制御する信号を供給するゲイン制御線をｍとする。制御回路５１から出力される高域通過フィルタ４６、５０を構成する第３のスイッチ４６ａ、４６ｂ、５０ａ、５０ｂを制御する信号を供給するスイッチ制御線をｎとする。制御回路５１から出力される第１の固定ゲインアンプ４２とダミーアンプ４３を制御する信号を供給するアンプ制御線をｏとする。
【００９８】
アンプ制御線ｏがＨｉｇｈの時は、第１の固定ゲインアンプ４２はスリープ状態、ダミーアンプ４３はアクティブ状態になり、アンプ制御線ｏがＬｏｗの時は、固定ゲインアンプ４２はアクティブ状態、ダミーアンプ４３はスリープ状態になるものとする。
【００９９】
また、スイッチ制御線ｎがＨｉｇｈの時は第３のスイッチ４６ａ、４６ｂ、５０ａ、５０ｂはオン、スイッチ制御線ｎがＬｏｗの時は第３のスイッチ４６ａ、４６ｂ、５０ａ、５０ｂはオフになるものとする。
【０１００】
図８において、（ａ）は制御回路入力線ｅの信号、（ｂ）はゲイン制御線ｍの信号、（ｃ）はスイッチ制御線ｎの信号、（ｄ）はアンプ制御線ｏの信号を示す。（ｅ）は第１の固定ゲインアンプ４２の状態、（ｆ）はダミーアンプ４３の状態、（ｇ）は第３のスイッチ４６ａ、４６ｂ、５０ａ、５０ｂの状態を示す。
【０１０１】
図９に示す波形図において、（ａ）は制御回路入力線ｅの信号、（ｂ）はゲイン制御線ｍのパルスを示す。（ｃ）はダミーアンプ４３、（ｄ）は第３のスイッチ４６ａ、４６ｂ、５０ａ、５０ｂの各状態を示す。（ｅ）は高域通過フィルタ４１の出力（ｈ１−ｈ２）、（ｆ）は第１の固定ゲインアンプ４２の出力（ｉ１−ｉ２）、（ｇ）はゲインコントロールアンプ４５の出力（ｊ１−ｊ２）、（ｈ）は高域通過フィルタ４６の出力（ｋ１−ｋ２）、（ｉ）はゲインコントロールアンプ４８出力（ｐ１−ｐ２）、（ｊ）は最終出力に接続される高域通過フィルタ５０の出力の（ｌ１−ｌ２）の各過渡応答を示す。
【０１０２】
まず、ゲインを切り替える時の制御について、図８を参照して説明する。図８（ａ）に示すように、制御回路入力線ｅから、時刻ｔ１にゲイン切り替えパルスが入力されると、時刻ｔ１ではスイッチ制御線ｎがＬｏｗ状態からＨｉｇｈ状態に変化するために高域通過フィルタ４６、５０を構成する第３のスイッチ４６ａ、４６ｂ、５０ａ、５０ｂがオフ状態からオン状態に切り替わる。また、同時刻でアンプ制御線ｏがＬｏｗ状態からＨｉｇｈ状態に変化するために、図８（ｅ）、（ｆ）に示すように、第１の固定ゲインアンプ４２がアクティブ状態からスリープ状態、ダミーアンプ４３がスリープ状態からアクティブ状態に切り替わる。
【０１０３】
その後、時刻ｔ２ではゲイン制御線ｍの信号によってゲインコントロールアンプ４５、４９のゲインが切り替わる。さらにその後の時刻ｔ３においては、スイッチ制御線ｎがＨｉｇｈ状態からＬｏｗ状態に切り替わり、図８（ｇ）に示すように、高域通過フィルタ４６、５０を構成する第３のスイッチ４６ａ、４６ｂ、５０ａ、５０ｂがオン状態からオフ状態に切り替わる。
【０１０４】
その後の時刻ｔ４では、アンプ制御線ｏがＨｉｇｈ状態からＬｏｗ状態に切り替わり、第１の固定ゲインアンプ４２がスリープ状態からアクティブ状態、ダミーアンプ４３がアクティブ状態からスリープ状態に切り替わる。
【０１０５】
次に、上記制御に伴う過渡応答について、図９を参照して説明する。まず、図９（ｅ）に示す高域通過フィルタ４１の出力（ｈ１、ｈ２）について説明する。このノードでは、ゲイン切り替え時の制御には無関係であるので、時刻ｔ１から時刻ｔ４にいたるまでは、信号レベルの変化及びＤＣオフセット電圧変動による過渡応答は発生しない。
【０１０６】
次に、図９（ｆ）に示す第１の固定ゲインアンプ４２の出力（ｉ１、ｉ２）について説明する。ダミーアンプ４３の回路構成は、第１の固定ゲインアンプ４２の構成と全く同じであり、ダミーアンプ４３の入力には、第１の固定ゲインアンプ４２の入力ＤＣ電圧と同じ電圧が入力されている。そのため、第１の固定ゲインアンプ４２の出力ＤＣ電圧とダミーアンプ４３の出力ＤＣ電圧は同じＤＣ電圧になる。
【０１０７】
時刻ｔ１に、第１の固定ゲインアンプ４２がスリープ、ダミーアンプ４３がアクティブに切り替わる。その場合、高域通過フィルタ４４の入力ＤＣ電圧は、第１の固定ゲインアンプ４２の出力ＤＣ電圧からダミーアンプ４３の出力ＤＣ電圧に切り替わるが、同じ出力ＤＣ電圧であるため、時刻ｔ１においてＤＣ電圧変動は発生しない。また、第１の固定ゲインアンプ４２がスリープ、ダミーアンプ４３がアクティブに切り替わることによって信号が遮断されるため、時刻ｔ１を境に、第１の固定ゲインアンプ４２の出力（ｉ１、ｉ２）はＤＣ電圧のみになり、その状態は、第１の固定ゲインアンプ４２がアクティブ、ダミーアンプ４３がスリープに切り替わる時刻ｔ４まで続く。時刻ｔ４において、第１の固定ゲインアンプ４２がアクティブ、ダミーアンプ４３がスリープに切り替わるため、高域通過フィルタ４１の出力（ｈ１、ｈ２）の信号が第１の固定ゲインアンプ４２を通じて出力される。その場合、アクティブ回路がダミーアンプ４３から第１の固定ゲインアンプ４２に切り替わっても、出力ＤＣ電圧が同じであるために、信号の存在に起因するＤＣオフセット電圧変動による過渡応答が発生しない。
【０１０８】
次に、図９（ｇ）に示すゲインコントロールアンプ４５の出力（ｊ１、ｊ２）について説明する。時刻ｔ１において、第１の固定ゲインアンプ４２がスリープ、ダミーアンプ４３がアクティブに切り替わるために信号は遮断され、時刻ｔ１を境にゲインコントロールアンプ４５の出力（ｊ１、ｊ２）はＤＣのみになり、時刻ｔ１ではＤＣ電圧変動による過渡応答は発生しない。時刻ｔ２において、ゲインコントロールアンプ４５のゲインが変わるために、出力（ｊ１、ｊ２）のＤＣオフセット電圧がステップ状に変化するが、変化量は小さく、問題にならない。時刻ｔ２から時刻ｔ４の間も第１の固定ゲインアンプ４２によって信号が遮断されているために、ゲインコントロールアンプ４５の出力（ｊ１、ｊ２）はＤＣのみである。時刻ｔ４において、第１の固定ゲインアンプ４２がアクティブになり、信号が伝送される。時刻、ｔ１、ｔ４において、信号の存在に起因するＤＣ電圧変動による過渡応答は発生しない。
【０１０９】
次に、図９（ｈ）に示す高域通過フィルタ４６の出力（ｋ１、ｋ２）について説明する。時刻ｔ１において、スイッチ制御線ｎがＬｏｗ状態からＨｉｇｈ状態に変化するために高域通過フィルタ４６を構成する第３のスイッチ４６ａ、４６ｂがオフ状態からオン状態に切り替わり、高域通過フィルタ４６の出力（ｋ１、ｋ２）は、高域通過フィルタの基準電圧に固定される。そのため、時刻ｔ１を境に高域通過フィルタ４６の出力（ｋ１、ｋ２）はＤＣのみになり、時刻ｔ１ではＤＣ電圧変動による過渡応答は発生しない。時刻ｔ３において、スイッチ制御線ｎがＨｉｇｈ状態からＬｏｗ状態に変化するために、高域通過フィルタ４６を構成する第３のスイッチ４６ａ、４６ｂがオン状態からオフ状態に切り替わるが、第１の固定ゲインアンプ４２がスリープ、ダミーアンプ４３がアクティブ状態にあり信号は遮断されているために、高域通過フィルタ４６の出力（ｋ１、ｋ２）のＤＣ電圧変動及びそれによる過渡応答は発生しない。時刻ｔ４では、第１の固定ゲインアンプ４２がアクティブ、ダミーアンプ４３がスリープ状態に切り替わるために信号が出力されるが、高域通過フィルタ４６の出力（ｋ１、ｋ２）では、信号の存在に起因するＤＣオフセット電圧による過渡応答は発生しない。
【０１１０】
次に、図９（ｉ）に示すゲインコントロールアンプ４９の出力（ｐ１、ｐ２）について説明する。時刻ｔ１において、第１の固定ゲインアンプ４２がスリープ、ダミーアンプ４３がアクティブに切り替わるために信号は遮断され、時刻ｔ１を境にゲインコントロールアンプ４９の出力（ｐ１、ｐ２）はＤＣのみになり、時刻ｔ１ではＤＣ電圧変動による過渡応答は発生しない。時刻ｔ２において、ゲインコントロールアンプ４９のゲインが変わるために、出力（ｐ１、ｐ２）のＤＣオフセット電圧がステップ状に変化するが、変化量は小さく、問題にならない。時刻ｔ２から時刻ｔ４の間も第１の固定ゲインアンプ４２によって信号が遮断されているために、ゲインコントロールアンプ４９の出力（ｐ１、ｐ２）はＤＣのみである。時刻ｔ４において、第１の固定ゲインアンプ４２がアクティブになり、信号が伝送される。時刻、ｔ１、ｔ４において、信号の存在に起因するＤＣ電圧変動による過渡応答は発生しない。
【０１１１】
最後に、図７の回路の最終出力である、図９（ｊ）に示す高域通過フィルタ５０の出力（ｌ１、ｌ２）について説明する。時刻ｔ１において、スイッチ制御線ｎがＬｏｗ状態からＨｉｇｈ状態に変化するために高域通過フィルタ５０を構成する第３のスイッチ５０ａ、５０ｂがオフ状態からオン状態に切り替わり、高域通過フィルタ５０の出力（ｌ１、ｌ２）は、高域通過フィルタの基準電圧に固定される。そのため、時刻ｔ１を境に高域通過フィルタ５０の出力（ｌ１、ｌ２）はＤＣのみになり、時刻ｔ１ではＤＣ電圧変動による過渡応答は発生しない。時刻ｔ３において、スイッチ制御線ｎがＨｉｇｈ状態からＬｏｗ状態に変化するために、高域通過フィルタ５０を構成する第３のスイッチ５０ａ、５０ｂがオン状態からオフ状態に切り替わるが、第１の固定ゲインアンプ４２がスリープ、ダミーアンプ４３がアクティブ状態であり信号は遮断されているために、高域通過フィルタ５０の出力（ｌ１、ｌ２）のＤＣ電圧変動及びそれによる過渡応答は発生しない。時刻ｔ４では、第１の固定ゲインアンプ４２がアクティブ、ダミーアンプ４３がスリープ状態に切り替わるために信号が出力されるが、高域通過フィルタ５０の出力（ｌ１、ｌ２）では信号の存在に起因するＤＣオフセット電圧による過渡応答は発生しない。
【０１１２】
以上のように、ゲインを切り替える時刻ｔ２においては、高域通過フィルタ４６、５０を構成する第３のスイッチ４６ａ、４６ｂ、５０ａ、５０ｂがオン状態であり、出力（ｋ１、ｋ２、ｌ１、ｌ２は高域通過フィルタの基準電圧に固定されているため、ゲイン切り替え時のＤＣ電圧変動による過渡応答は原理的に発生しない。そのため、図８、図９における時刻ｔ２から時刻ｔ４までの時間は、図５における時刻ｔ２から時刻ｔ３までの時間より、かなり短くすることができる。したがって、図７の回路構成、回路制御によれば、図４の回路構成に比べて、信号の欠落時間を短くできる。
【０１１３】
以上のとおり、本発明の第４の実施形態によれば、回路のゲイン可変レンジを拡大し、信号を受信している状態でゲインを大きく変化させても、最終出力におけるＤＣ電圧変動による過渡応答を抑制することができ、さらに、ゲイン切り替え時の信号の欠落時間も短くすることができる。
【０１１４】
（第５の実施形態）
本発明の第５の実施形態におけるダイレクトコンバージョン方式の受信回路について、図１０を参照して説明する。
【０１１５】
図１０は、本実施形態の受信回路を構成するベースバンド回路を示す。この回路は、図７に示した第４の実施形態の回路に対して、固定ゲインアンプの数を削減した構成を有する。それ以外は図７の回路と同様であり、ＬＮＡ２１、ミキサ２２、低域通過フィルタ２３、複数の高域通過フィルタ４１、４４、４６、５０、複数のゲインコントロールアンプ５４、５５、固定ゲインアンプ４２、ダミーアンプ４３、および制御回路５１を有する。図１０において、図７と同じ符号を付した素子は、図７の回路と同様の素子である。
【０１１６】
ゲインコントロールアンプ５４、５５は０ｄＢ以上のゲインを持つ。制御回路５１は、図７の回路と同様に、固定ゲインアンプ４２、ダミーアンプ４３、ゲインコントロールアンプの出力にそれぞれ接続された高域通過フィルタ４６、５０の第３のスイッチ４６ａ、４６ｂ、５０ａ、５０ｂ、およびゲインコントロールアンプ５４、５５のゲインを制御する。
【０１１７】
また、制御回路５１は、ゲイン変更パルスが入力されたときに、固定ゲインアンプ４２をスリープ状態、ダミーアンプ４３を動作状態、第３のスイッチ４６ａ、４６ｂ、５０ａ、５０ｂをショートにした後、ゲインコントロールアンプ５４、５５のゲインを切り替え、さらに、ゲインを切り替えてから一定時間後に、まず、第３のスイッチ４６ａ、４６ｂ、５０ａ、５０ｂをオープンにし、その後、固定ゲインアンプ４２を動作状態、ダミーアンプ４３をスリープ状態にする機能を有する。
【０１１８】
図１０の回路と図７の回路を比較すると、固定ゲインアンプと高域通過フィルタの数が減少し、ゲインコントロールアンプ５４、５５の最大ゲインが０ｄＢ以上になった以外は同じ構成であり、固定ゲインアンプ４２、ダミーアンプ４３、高域通過フィルタ４６、５０の第３のスイッチ４６ａ、４６ｂ、５０ａ、５０ｂ、およびゲインコントロールアンプ５４、５５のゲインの制御方法も同じである。
【０１１９】
従って、ゲイン切り替え時の過渡応答を図７の回路と図１０の回路で比較した場合、図１０のゲインコントロールアンプ５４、５５の最大ゲインが０ｄＢ以上であるために、時刻ｔ２での図１０のゲインコントロールアンプ５４、５５の出力ＤＣオフセット電圧変動は、図７のゲインコントロールアンプ４５、４９の出力ＤＣオフセット電圧変動より大きくなる。しかし、図１０の最終出力での過渡応答は、図７の過渡応答と同じになり、ＤＣオフセット変動による過渡応答は発生しない。
【０１２０】
また、図７の回路と比較して、図１０の回路では、固定ゲインアンプと高域通過フィルタの数を減らすことができるために、回路規模を小さくすることができる。
【０１２１】
以上のように、本発明の第５の実施形態によって、回路規模の増大を抑えながら、回路のゲイン可変レンジを拡大し、信号を受信している状態でゲインを大きく変化させても、最終出力における信号の存在に起因するＤＣ電圧変動による過渡応答を抑制することができ、さらに、ゲイン切り替え時の信号の欠落時間も短くすることができる。
【０１２２】
（第６の実施形態）
本発明の第６の実施形態におけるダイレクトコンバージョン方式の受信回路について、図１１、図１２、図１３を参照して説明する。
【０１２３】
図１１は、本実施形態の受信回路を構成するベースバンド回路を示す。この回路は、図１に示した第１の実施形態の回路と同様のＬＮＡ２１、ミキサ２２、および低域通過フィルタ２３を備え、その後段に、図１の回路と同様の、固定ゲインアンプ６１，６７、高域通過フィルタ６４、６８、およびゲインコントロールアンプ６５，６９をそれぞれ組み合わせた複合アンプ７２，７３を多段に接続して構成される。固定ゲインアンプ６１，６７のゲインは０ｄＢ以上、ゲインコントロールアンプ６５，６９の最大ゲインは０ｄＢ以下である。この回路では２段の複合アンプ７２，７３が用いられるが、より多段に接続してもよい。
【０１２４】
複合アンプ７２，７３の後段にはそれぞれ、高域通過フィルタ６６、７０が接続されている。この受信回路の入力に最も近い第１の固定ゲインアンプ６１の出力側には、第４のスイッチ６２，６３が挿入されている。ゲインコントロールアンプ６５、６９の出力にそれぞれ接続された高域通過フィルタ６６、７０は、図７に示した第４の実施形態の回路と同様であり、第１の抵抗６６ｅ、６６ｆ、７０ｃ、７０ｄ、第１のコンデンサー６６ｃ、６６ｄ、７０ｃ、７０ｄ、および第３のスイッチ６６ａ、６６ｂ、７０ａ、７０ｂから構成される。さらに、第４のスイッチ６２，６３、および第３のスイッチ６６ａ、６６ｂ、７０ａ、７０ｂのオンオフ、およびゲインコントロールアンプ６５、６９のゲインを制御する制御回路７１を備える。
【０１２５】
制御回路７１は、ゲイン変更パルスが入力されたときに、第４のスイッチ６２、６３をオープン、第３のスイッチ６６ａ、６６ｂ、７０ａ、７０ｂをショートにした後、ゲインコントロールアンプ６５、６９のゲインを切り替え、さらに、ゲインを切り替えてから一定時間後に、まず、第３のスイッチ６６ａ、６６ｂ、７０ａ、７０ｂをオープンにし、その後、第４のスイッチ６２，６３をショートにする機能を有する。
【０１２６】
図４の第２の実施形態の受信回路では、信号を入力した状態でゲインを大きく切り替えても、最終出力（ｄ１、ｄ２）では、ＤＣオフセット電圧の変動は発生しない。しかし、ゲイン切り替え時には、第１のスイッチ３２、３３がオフ、第２のスイッチ３４、３５がオンの状態が一定期間発生し、その期間は高域通過フィルタ２７、２９、３０の時定数の時間以上になるため、長い期間、信号が最終出力に出力されずに信号が長時間欠落する。
【０１２７】
そこで、本実施形態における図１１の回路の構成をとり、制御を行うことで、回路のゲイン可変レンジを拡大し、信号を受信している状態でゲインを大きく変化させても、最終出力におけるＤＣ電圧変動による過渡応答を抑制することができ、さらに、ゲイン切り替え時の信号の欠落時間を短くすることができる。
【０１２８】
図１２、図１３を参照して、図１１の回路における制御回路７１による信号入力時のゲイン切り替えに際しての、ゲインコントロールアンプ６５、６９、高域通過フィルタ６６、７０を構成する第３のスイッチ６６ａ、６６ｂ、７０ａ、７０ｂ、および第４のスイッチ６２，６３の制御方法と、そのときの過渡応答について説明する。
【０１２９】
図１１において、第１の固定ゲインアンプ６１の両相出力のプラス出力をｑ１、マイナス出力をｑ２、第４のスイッチ６２，６３の両相出力のプラス出力をｒ１、マイナス出力をｒ２、ゲインコントロールアンプ６５の両相出力のプラス出力をｓ１、マイナス出力をｓ２、高域通過フィルタ６６の両相出力のプラス出力をｔ１、マイナス出力をｔ２、ゲインコントロールアンプ６９の両相出力のプラス出力をｕ１、マイナス出力をｕ２、最終出力に接続される高域通過フィルタ７０の両相出力のプラス出力をｖ１、マイナス出力をｖ２とする。
【０１３０】
また、制御回路５１に入力される制御回路入力線をｅ、制御回路７１から出力されるゲインコントロールアンプ６５、６９を制御するゲイン制御線をｗ、制御回路７１から出力される高域通過フィルタ６６、７０を構成する第３のスイッチ６６ａ、６６ｂ、７０ａ、７０ｂを制御する高域通過フィルタスイッチ制御線をｘ、制御回路７１から出力される第４のスイッチ６２，６３を制御する信号スイッチ制御線をｙとする。
【０１３１】
第３のスイッチ６６ａ、６６ｂ、７０ａ、７０ｂは、高域通過フィルタスイッチ制御線ｘがＨｉｇｈの時はオン、Ｌｏｗの時はオフになる。第４のスイッチ６２、６３は、信号スイッチ制御線ｙがＨｉｇｈの時にはオン、Ｌｏｗの時にはオフになる。
【０１３２】
図１２の波形図において、（ａ）は制御回路入力線ｅの信号、（ｂ）はゲイン制御線ｗの信号、（ｃ）は信号スイッチ制御線ｙの信号、（ｄ）は高域通過フィルタスイッチ制御線ｘの信号、（ｅ）は第４のスイッチ６２、６３の状態、（ｆ）は第３のスイッチ６６ａ、６６ｂ、７０ａ、７０ｂの状態を示す。
【０１３３】
図１３の波形図において、（ａ）は制御回路入力線ｅの信号、（ｂ）はゲイン制御線ｗのパルスを示す。（ｃ）は第４のスイッチ６２、６３、（ｄ）は第３のスイッチ６６ａ、６６ｂ、７０ａ、７０ｂの状態を示す。（ｅ）は第１の固定ゲインアンプ６１の出力（ｑ１−ｑ２）、（ｆ）は第４のスイッチ６２，６３の出力（ｒ１−ｒ２）、（ｇ）はゲインコントロールアンプ６５の出力（ｓ１−ｓ２）、（ｈ）は高域通過フィルタ６６の出力（ｔ１−ｔ２）、（ｉ）はゲインコントロールアンプ６９の出力（ｕ１−ｕ２）、（ｈ）は最終出力に接続された高域通過フィルタ７０の出力（ｖ１−ｖ２）の過渡応答を示す。
【０１３４】
ゲインを切り替える時の制御について、図１２を参照して説明する。制御回路入力線ｅに、時刻ｔ１にゲイン切り替えパルスが入力されると、図１２（ｄ）に示すように、時刻ｔ１では高域通過フィルタスイッチ制御線ｘがＬｏｗ状態からＨｉｇｈ状態に変化するため、高域通過フィルタ６６、７０を構成する第３のスイッチ６６ａ、６６ｂ、７０ａ、７０ｂがオフ状態からオン状態に切り替わる。また、同時刻に信号スイッチ制御線ｙがＨｉｇｈ状態からＬｏｗ状態に変化するため、第４のスイッチ６２、６３がオン状態からオフ状態に切り替わる。
【０１３５】
その後、時刻ｔ２には、ゲイン制御線ｗによってゲインコントロールアンプ６５、６９のゲインが切り替わり、さらにその後の時刻ｔ３においては、高域通過フィルタスイッチ制御線ｘがＨｉｇｈ状態からＬｏｗ状態に切り替わり、高域通過フィルタ６６、７０を構成する第３のスイッチ６６ａ、６６ｂ、７０ａ、７０ｂがオン状態からオフ状態に切り替わる。
【０１３６】
その後の時刻ｔ４には、信号スイッチ制御線ｙがＬｏｗ状態からＨｉｇｈ状態に切り替わり、第４のスイッチ６２，６３がオフ状態からオン状態に切り替わる。
【０１３７】
上記制御に伴う過渡応答について、図１３を参照して説明する。まず、図１３（ｅ）に示す、第１のゲイン固定アンプ６１の出力（ｑ１、ｑ２）について説明する。このノードでは、ゲイン切り替え時の制御には無関係であるので、時刻ｔ１から時刻ｔ４にいたるまでは、信号レベルの変化及びＤＣオフセット電圧変動による過渡応答は発生しない。
【０１３８】
次に、図１３（ｆ）に示す、第４のスイッチ６２、８３の出力（ｒ１、ｒ２）について説明する。時刻ｔ１において、第４のスイッチが、オン状態からオフ状態に切り替わるために、この時刻で、信号が遮断される。そのため、時刻ｔ１以降は、第４のスイッチ６２、６３の出力（ｒ１、ｒ２）はＤＣ電圧のみになり、その状態は時刻ｔ４まで続く。時刻ｔ１で第４のスイッチ６２、６３の出力（ｒ１、ｒ２）がオフになると、高域通過フィルタ６４を構成するコンデンサー６４ｃ、６４ｄに充電されている電荷の放電経路がなくなるため、時刻ｔ１から時刻ｔ４の間は、コンデンサー６４ｃ、６４ｄに充電されている電荷は保存される。そのため、時刻ｔ４で第４のスイッチ６２、６３がオフ状態からオン状態に切り替わるが、その時に、コンデンサーの電荷の充放電が発生しないため、高域通過フィルタ６４の出力ではＤＣ電圧変動による過渡応答が発生しない状態で信号が出力される。
【０１３９】
次に、図１３（ｇ）に示す、ゲインコントロールアンプ６５の出力（ｓ１、ｓ２）について説明する。時刻ｔ１において、第４のスイッチ６２、６３がオン状態からオフ状態に切り替わるため、信号は遮断され、時刻ｔ１を境にゲインコントロールアンプ６５の出力（ｓ１、ｓ２）はＤＣ電圧のみになり、時刻ｔ１ではＤＣ電圧変動による過渡応答は発生しない。時刻ｔ２において、ゲインコントロールアンプ６５のゲインが変わるために、出力（ｓ１、ｓ２）のＤＣオフセット電圧がステップ状に変動するが、変動量は小さく、問題にならない。時刻ｔ２から時刻ｔ４の間も、第４のスイッチ６２、６３によって信号が遮断されているために、ゲインコントロールアンプ６５の出力（ｓ１、ｓ２）はＤＣのみである。時刻ｔ４において、第４のスイッチ６２、６３がオンになり、信号が伝送される。時刻ｔ１、ｔ４において、信号の存在に起因するＤＣ電圧変動による過渡応答は発生しない。
【０１４０】
次に、図１３（ｈ）に示す、高域通過フィルタ６６の出力（ｔ１、ｔ２）について説明する。時刻ｔ１において、高域通過フィルタスイッチ制御線ｘがＬｏｗ状態からＨｉｇｈ状態に変化するため、高域通過フィルタ６６を構成する第３のスイッチ６６ａ、６６ｂがオフ状態からオン状態に切り替わり、高域通過フィルタ６６の出力（ｔ１、ｔ２）は、高域通過フィルタの基準電圧に固定される。そのため、時刻ｔ１を境に高域通過フィルタ６６の出力（ｔ１、ｔ２）はＤＣのみになり、時刻ｔ１ではＤＣ電圧変動による過渡応答は発生しない。時刻ｔ３において、高域通過フィルタスイッチ制御線ｘがＨｉｇｈ状態からＬｏｗ状態に変化するために、高域通過フィルタ６６を構成する第３のスイッチ６６ａ、６６ｂがオン状態からオフ状態に切り替わるが、第４のスイッチがオフ状態で信号は遮断されているため、高域通過フィルタ６６の出力（ｔ１、ｔ２）のＤＣ電圧変動、及びそれによる過渡応答は発生しない。時刻ｔ４には、第４のスイッチ６２、６３がオン状態からオフ状態に切り替わるために信号が出力されるが、高域通過フィルタ６６の出力（ｔ１、ｔ２）には、信号の存在に起因するＤＣオフセット電圧による過渡応答は発生しない。
【０１４１】
次に、図１３（ｉ）に示す、ゲインコントロールアンプ６９の出力（ｕ１、ｕ２）について説明する。時刻ｔ１において、第４のスイッチ６２、６３がオンからオフ状態に切り替わるために信号は遮断され、時刻ｔ１を境にゲインコントロールアンプ６９の出力（ｕ１、ｕ２）はＤＣのみになり、時刻ｔ１ではＤＣ電圧変動による過渡応答は発生しない。時刻ｔ２において、ゲインコントロールアンプ６９のゲインが変わるために、出力（ｕ１、ｕ２）のＤＣオフセット電圧がステップ状に変動するが、変動量は小さく、問題にならない。時刻ｔ２から時刻ｔ４の間も第４のスイッチ６２、６３によって信号が遮断されているために、ゲインコントロールアンプ６９の出力（ｕ１、ｕ２）はＤＣ電圧のみである。時刻ｔ４において、第４のスイッチ６２、６３がオン状態になり、信号が伝送される。時刻ｔ１、ｔ４において、信号の存在に起因するＤＣ電圧変動による過渡応答は発生しない。
【０１４２】
最後に、図１３（ｊ）に示す、図１１の回路の最終出力である高域通過フィルタ７０の出力（ｖ１、ｖ２）について説明する。時刻ｔ１において、高域通過フィルタスイッチ制御線ｘがＬｏｗ状態からＨｉｇｈ状態に変化するために、高域通過フィルタ７０を構成する第３のスイッチ７０ａ、７０ｂがオフ状態からオン状態に切り替わり、高域通過フィルタ７０の出力（ｖ１、ｖ２）は、高域通過フィルタの基準電圧に固定される。そのため、時刻ｔ１を境に高域通過フィルタ７０の出力（ｖ１、ｖ２）はＤＣのみになり、時刻ｔ１ではＤＣ電圧変動による過渡応答は発生しない。時刻ｔ３において、高域通過フィルタスイッチ制御線ｘがＨｉｇｈ状態からＬｏｗ状態に変化するため、高域通過フィルタ７０を構成する第３のスイッチ７０ａ、７０ｂがオン状態からオフ状態に切り替わるが、第４のスイッチ６２、６３がオフ状態で信号は遮断されているため、高域通過フィルタ７０の出力（ｖ１、ｖ２）のＤＣ電圧変動、及びそれによる過渡応答は発生しない。時刻ｔ４には、第４のスイッチ６２、６３がオフからオン状態に切り替わるために信号が出力されるが、高域通過フィルタ７０の出力（ｖ１、ｖ２）では信号の存在に起因するＤＣオフセット電圧による過渡応答は発生しない。
【０１４３】
以上のとおり、ゲインを切り替える時刻ｔ２においては、高域通過フィルタ６６、７０を構成する第３のスイッチ６６ａ、６６ｂ、７０ａ、７０ｂがオンしているために、出力（ｔ１、ｔ２、ｖ１、ｖ２）は高域通過フィルタの基準電圧に固定されるので、ゲイン切り替え時のＤＣ電圧変動による過渡応答は原理的に発生しない。そのため、図１２、図１３における時刻ｔ２から時刻ｔ４までの時間は、図５における時刻ｔ２から時刻ｔ３までの時間より、かなり短くすることができる。その結果、図１１の回路構成、回路制御によれば、図４の回路構成より、信号の欠落時間を短くできる。
【０１４４】
以上のように、本発明の第６の実施形態によれば、回路のゲイン可変レンジを拡大し、信号を受信している状態でゲインを大きく変化させても、最終出力における信号の存在に起因するＤＣ電圧変動による過渡応答を抑制することができ、さらに、ゲイン切り替え時の信号の欠落時間も短くすることができる。
【０１４５】
（第７の実施形態）
本発明の第７の実施形態におけるダイレクトコンバージョン方式の受信回路について、図１４を参照して説明する。
【０１４６】
図１４は、本実施形態の受信回路を構成するベースバンド回路を示す。この回路は、図１１に示した第６の実施形態の回路に対して、固定ゲインアンプを削除した構成を有する。それ以外は図１１の回路と同様であり、ＬＮＡ２１、ミキサ２２、低域通過フィルタ２３、複数の高域通過フィルタ６４、６６、７０、複数のゲインコントロールアンプ７４、７５、第４のスイッチ６２、６３、および制御回路７１を有する。ゲインコントロールアンプ７４、７５は、０ｄＢ以上のゲインを持つ。図１４において、図１１と同じ符号を付した素子は、図１１の回路と同様の素子である。
【０１４７】
図１１の回路と同様に、制御回路７１は、ゲインコントロールアンプ７４、７５の出力にそれぞれ接続される高域通過フィルタ６６、７０の第３のスイッチ６６ａ、６６ｂ、７０ａ、７０ｂ、ゲインコントロールアンプ７４、７５のゲイン、および第４のスイッチ６２、６３を制御する。制御回路７１は、ゲイン変更パルスが入力されたときに、第４のスイッチ６２、６３をオープン、第３のスイッチ６６ａ、６６ｂ、７０ａ、７０ｂをショートにした後、ゲインコントロールアンプ７４、７５のゲインを切り替え、さらに、ゲインを切り替えてから一定時間後に、まず、第３のスイッチ６６ａ、６６ｂ、７０ａ、７０ｂをオープンにし、その後に、第４のスイッチ６２，６３をショートにする機能を有する。
【０１４８】
図１４の回路と第６の実施形態である図１１の回路とを比較すると、固定ゲインアンプが無くなり、高域通過フィルタの数が減少し、ゲインコントロールアンプ７４、７５の最大ゲインが０ｄＢ以上になった以外は同じ構成であり、ゲインコントロールアンプの出力にそれぞれ接続される高域通過フィルタ６６、７０の第３のスイッチ６６ａ、６６ｂ、７０ａ、７０ｂ、ゲインコントロールアンプ７４、７５のゲイン、および第４のスイッチ６２、６３の制御方法も同じである。
【０１４９】
従って、ゲイン切り替え時の過渡応答を図１１の回路と図１４の回路で比較した場合、図１４のゲインコントロールアンプの最大ゲインが０ｄＢ以上であるために、時刻ｔ２での図１４のゲインコントロールアンプ７４、７５の出力ＤＣオフセット電圧変動は、図１１のゲインコントロールアンプ６５、５９の出力ＤＣオフセット電圧変動より大きくなるが、図１４の回路の最終出力での過渡応答は、図１１の回路の過渡応答と同じになり、ＤＣオフセット変動による過渡応答は発生しない。
【０１５０】
また、図１１の回路と比較して、図１４の回路では、固定ゲインアンプを削除でき、さらに高域通過フィルタの数を減らすことができるために、回路規模を小さくすることができる。
【０１５１】
以上のように、本発明の第７の実施形態によれば、回路規模の増大を抑えながら、回路のゲイン可変レンジを拡大し、信号を受信している状態でゲインを大きく変化させても、最終出力における信号の存在に起因するＤＣ電圧変動による過渡応答を抑制することができ、さらに、ゲイン切り替え時の信号の欠落時間も短くすることができる。
【０１５２】
（第８の実施形態）
本発明の第８の実施形態におけるダイレクトコンバージョン方式の受信回路について、図１５、図１６、図１７を参照して説明する。
【０１５３】
図１５は、本実施形態の受信回路を構成するベースバンド回路を示す。この回路は、図１に示した第１の実施形態の回路と同様のＬＮＡ２１、ミキサ２２、および低域通過フィルタ２３を備え、その後段に、図１の回路と同様の、固定ゲインアンプ８１，８５、高域通過フィルタ８２、８６、およびゲインコントロールアンプ８３，８７をそれぞれ組み合わせた複合アンプ９０、９１を多段に接続して構成される。固定ゲインアンプ８１、８５のゲインは０ｄＢ以上、ゲインコントロールアンプ８３、８７の最大ゲインは０ｄＢ以下である。この回路では２段の複合アンプ９０、９１が用いられるが、より多段に接続してもよい。
【０１５４】
複合アンプ９０、９１のゲインコントロールアンプ８３、８７の出力にはそれぞれ、高域通過フィルタ８４、８８が接続されている。高域通過フィルタ８４、８８は、第５のスイッチ８４ｂ、８４ｊ、８８ｂ、８８ｊ、第６のスイッチ８４ｇ、８４ｏ、８８ｇ、８８ｏ、第７のスイッチ８４ｃ、８４ｋ、８８ｃ、８８ｋ、第８のスイッチ８４ｆ、８４ｎ、８８ｆ、８８ｎ、第２のコンデンサー８４ｄ、８４ｌ、８８ｄ、８８ｌ、第３のコンデンサー８４ｅ、８４ｍ、８８ｅ、８８ｍ、第２の抵抗８４ｈ、８４ｐ、８８ｈ、８８ｐ、および第２の低域通過フィルタ８４ａ、８４ｉ、８８ａ、８８ｉを備える。
【０１５５】
さらに、第５のスイッチ８４ｂ、８４ｊ、８８ｂ、８８ｊ、第６のスイッチ８４ｇ、８４ｏ、８８ｇ、８８ｏ、第７のスイッチ８４ｃ、８４ｋ、８８ｃ、８８ｋ、および第８のスイッチ８４ｆ、８４ｎ、８８ｆ、８８ｎのオンオフ、およびゲインコントロールアンプ８３、８７のゲインを制御する制御回路８９を備える。
【０１５６】
制御回路８９は、ゲイン変更パルスが入力されたときに、第５のスイッチ８４ｂ、８４ｊ、８８ｂ、８８ｊと第６のスイッチ８４ｇ、８４ｏ、８８ｇ、８８ｏをショート、第７のスイッチ８４ｃ、８４ｋ、８８ｃ、８８ｋと第８のスイッチ８４ｆ、８４ｎ、８８ｆ、８８ｎをオープンにした後、ゲインコントロールアンプ８３、８７のゲインを切り替え、さらに、ゲインを切り替えてから一定時間後に、第５のスイッチ８４ｂ、８４ｊ、８８ｂ、８８ｊと第６のスイッチ８４ｇ、８４ｏ、８８ｇ、８８ｏをオープン、第７のスイッチ８４ｃ、８４ｋ、８８ｃ、８８ｋと第８のスイッチ８４ｆ、８４ｎ、８８ｆ、８８ｎをショートにする機能を有する。
【０１５７】
図４の第２の実施形態の受信回路では、信号を入力した状態でゲインを大きく切り替えても、最終出力（ｄ１、ｄ２）では、ＤＣオフセット電圧の変動は発生しない。しかし、ゲイン切り替え時には、第１のスイッチ３２、３３がオフ、第２のスイッチ３４、３５がオンの状態が一定期間発生し、その期間は高域通過フィルタ２７、２９、３０の時定数の時間以上になるため、長い期間、信号が最終出力に出力されずに信号が長時間欠落する。
【０１５８】
そこで、本実施形態における図１５の回路構成をとり、制御を行うことで、回路のゲイン可変レンジを拡大し、信号を受信している状態でゲインを大きく変化させても、最終出力における信号の存在に起因するＤＣ電圧変動による過渡応答を抑制することができ、さらに、ゲイン切り替え時の信号の欠落も無くすことができる。
【０１５９】
図１６、図１７を参照して、図１５の回路における信号入力時のゲイン切り替えに際しての、制御回路８９によるゲインコントロールアンプ８３、８７、高域通過フィルタ８４、８８を構成する第５のスイッチ８４ｂ、８４ｊ、８８ｂ、８８ｊ、第６のスイッチ８４ｇ、８４ｏ、８８ｇ、８８ｏ、第７のスイッチ８４ｃ、８４ｋ、８８ｃ、８８ｋ、および第８のスイッチ８４ｆ、８４ｎ、８８ｆ、８８ｎの制御方法及び、各ノードでの過渡応答について説明する。
【０１６０】
図１５において、ゲインコントロールアンプ８３の両相出力のプラス出力をｚ１、マイナス出力をｚ２とする。高域通過フィルタ８４の第３のコンデンサー８４ｅの第５のスイッチ８４ｂ側のノードをａａ１、高域通過フィルタ８４の第３のコンデンサー８４ｍの第５のスイッチ８４ｊ側のノードをａａ２、高域通過フィルタ８４の第３のコンデンサー８４ｅの第６のスイッチ８４ｇ側のノードをａｂ１、高域通過フィルタ８４の第３のコンデンサー８４ｍの第６のスイッチ８４ｏ側のノードをａｂ２とする。高域通過フィルタ８４の両相出力のプラス出力をａｃ１、マイナス出力をａｃ２、最終出力に接続される高域通過フィルタ８８の両相出力のプラス出力をａｇ１、マイナス出力をａｇ２とする。
【０１６１】
また、制御回路８９に入力される制御回路入力線をｅ、高域通過フィルタ８４、８８の第５のスイッチ８４ｂ、８４ｊ、８８ｂ、８８ｊと第６のスイッチ８４ｇ、８４ｏ、８８ｇ、８８ｏを制御する高域通過フィルタスイッチ第１制御線をａｉ、高域通過フィルタ８４、８８の第７のスイッチ８４ｃ、８４ｋ、８８ｃ、８８ｋと第８のスイッチ８４ｆ、８４ｎ、８８ｆ、８８ｎを制御する高域通過フィルタスイッチ第２制御線をａｊ、ゲインコントロールアンプ８３、８７を制御するゲイン制御線をａｈとする。
【０１６２】
第５のスイッチ８４ｂ、８４ｊ、８８ｂ、８８ｊと第６のスイッチ８４ｇ、８４ｏ、８８ｇ、８８ｏは、高域通過フィルタスイッチ第１制御線ａｉがＨｉｇｈの時はオン、Ｌｏｗの時はオフになる。
【０１６３】
高域通過フィルタ８４、８８の第７のスイッチ８４ｃ、８４ｋ、８８ｃ、８８ｋと第８のスイッチ８４ｆ、８４ｎ、８８ｆ、８８ｎは、高域通過フィルタスイッチ第２制御線ａｊがＨｉｇｈの時はオン、Ｌｏｗの時はオフになる。
【０１６４】
図１６の波形図において、（ａ）は制御回路入力線ｅの信号、（ｂ）はゲイン制御線ａｈの信号、（ｃ）は高域通過フィルタスイッチ第１制御線ａｉの信号、（ｄ）は高域通過フィルタスイッチ第２制御線ａｊの信号、（ｅ）は第５、第６のスイッチ８４ｂ、８４ｊ、８８ｂ、８８ｊ、８４ｇ、８４ｏ、８８ｇ、８８ｏの状態、（ｆ）は第７、第８のスイッチ８４ｃ、８４ｋ、８８ｃ、８８ｋ、８４ｆ、８４ｎ、８８ｆ、８８ｎの状態を示す。
【０１６５】
図１７の波形図において、（ａ）は制御回路入力線ｅの信号、（ｂ）はゲイン制御線ａｈの信号を示す。（ｃ）は第５、第６のスイッチ８４ｂ、８４ｊ、８８ｂ、８８ｊ、８４ｇ、８４ｏ、８８ｇ、８８ｏの状態、（ｄ）は第７、第８のスイッチ８４ｃ、８４ｋ、８８ｃ、８８ｋ、８４ｆ、８４ｎ、８８ｆ、８８ｎの状態を示す。（ｅ）はゲインコントロールアンプ８３の出力（ｚ１−ｚ２）、（ｆ）は高域通過フィルタ８４の出力（ａｃ１−ａｃ２）、（ｇ）は第５のスイッチ８４ｂ側のノードａａ１と第５のスイッチ８４ｊ側のノードａａ２の差（ａａ１−ａａ２）、（ｈ）は第６のスイッチ８４ｇ側のノードａｂ１と第６のスイッチ８４ｏ側のノードａｂ２との差（ａｂ１−ａｂ２）、（ｉ）は最終出力に接続される高域通過フィルタ８８の出力（ａｇ１−ａｇ２）の過渡応答を示す。
【０１６６】
ゲインを切り替える時の制御について、図１６を参照して説明する。制御回路入力線ｅに、時刻ｔ１にゲイン切り替えパルスが入力されると、時刻ｔ１では高域通過フィルタスイッチ第１制御線ａｉがＬｏｗ状態からＨｉｇｈ状態に変化するために、高域通過フィルタ８４、８８を構成する第５のスイッチ８４ｂ、８４ｊ、８８ｂ、８８ｊと第６のスイッチ８４ｇ、８４ｏ、８８ｇ、８８ｏはオフ状態からオン状態に切り替わる。同時刻に、高域通過フィルタスイッチ第２制御線ａｊがＨｉｇｈ状態からＬｏｗ状態に変化するために、高域通過フィルタ８４、８８を構成する第７のスイッチ８４ｃ、８４ｋ、８８ｃ、８８ｋと第８のスイッチ８４ｆ、８４ｎ、８８ｆ、８８ｎはオン状態からオフ状態に切り替わる。
【０１６７】
その後、時刻ｔ２には、ゲイン制御線ａｈによってゲインコントロールアンプ８３、８７のゲインが切り替わる。その後の時刻ｔ３には、高域通過フィルタスイッチ第１制御線ａｉがＨｉｇｈ状態からＬｏｗ状態に変化するために、高域通過フィルタ８４、８８を構成する第５のスイッチ８４ｂ、８４ｊ、８８ｂ、８８ｊと第６のスイッチ８４ｇ、８４ｏ、８８ｇ、８８ｏｗはオン状態からオフ状態に切り替わる。同時刻に高域通過フィルタスイッチ第２制御線ａｊがＬｏｗ状態からＨｉｇｈ状態に変化するために、高域通過フィルタ８４、８８を構成する第７のスイッチ８４ｃ、８４ｋ、８８ｃ、８８ｋと第８のスイッチ８４ｆ、８４ｎ、８８ｆ、８８ｎはオフ状態からオン状態に切り替わる。
【０１６８】
上記制御に伴う過渡応答について、図１７を参照して説明する。まず、図１７（ｅ）に示す、ゲインコントロールアンプ８３の出力（ｚ１、ｚ２）について説明する。時刻ｔ２においてゲインが切り替わるために、ゲインコントロールアンプ８３の出力の信号振幅と出力ＤＣオフセット電圧が変化するが、出力ＤＣオフセット電圧の変化量は小さいために、問題にならない。時刻ｔ２以降は過渡応答が発生しない。
【０１６９】
次に、図１７（ｆ）に示す、高域通過フィルタ８４の出力（ａｃ１、ａｃ２）について説明する。時刻ｔ１において、高域通過フィルタ８４を構成する第７のスイッチ８４ｃ、８４ｋと第８のスイッチ８４ｆ、８４ｎはオン状態からオフ状態に切り替わる。そのため、高域通過フィルタ８４の入力と出力の間に接続される容量の値が、第２のコンデンサー８４ｄ、８４ｋと第３のコンデンサー８４ｅ、８４ｍの和から、第２のコンデンサー８４ｄ、８４ｋのみに変わるため、時刻ｔ１を境に高域通過フィルタ８４の時定数が小さくなる。
【０１７０】
そのため、時刻ｔ２でゲインが切り替わってゲインコントロールアンプ８３の出力、つまり、高域通過フィルタ８４入力でＤＣオフセット電圧変動が発生した時には、時刻ｔ２で高域通過フィルタ８４の出力（ａｃ１、ａｃ２）にＤＣオフセット電圧変動による過渡応答が発生するが、高域通過フィルタ８４の時定数が小さいために、過渡応答の収束時間は短くなる。このとき、第２のコンデンサー８４ｄ、８４ｋと第２の抵抗８４ｈ、８４ｐで構成される高域通過フィルタの低域遮断周波数より周波数の高い信号は通過する。第２のコンデンサー８４ｄ、８４ｋを適切な値にすれば、ゲイン切り替え時に、収束時間は問題にならない程度に低減しながら、信号を通過させるができる。
【０１７１】
また、時刻ｔ１では、高域通過フィルタ８４、８８を構成する第５のスイッチ８４ｂ、８４ｊと第６のスイッチ８４ｇ、８４ｏはオフ状態からオン状態に切り替わり、第３のコンデンサー８４ｅ、８４ｍの一方の端子ａｂ１、ａｂ２は高域通過フィルタの基準電圧（図１７（ｈ））、他方の端子ａａ１、ａａ２は第２の低域通過フィルタ８４ａ、８４ｉを経由してゲインコントロールアンプ８３の出力（ｚ１、ｚ２）、つまり、高域通過フィルタ８４の入力につながる。
【０１７２】
そのため、時刻ｔ１を境に、第２の低域通過フィルタ８４ａ、８４ｉによって取り出されたゲインコントロールアンプ８３の出力（ｚ１、ｚ２）のＤＣ成分が、第３のコンデンサー８４ｅ、８４ｍの他方の端子ａａ１、ａａ２に伝えられる（図１７（ｇ））。第２の低域通過フィルタ８４ａ、８４ｉで取り出されたＤＣ成分が第３のコンデンサー８４ｅ、８４ｍの他方の端子ａａ１、ａａ２で落ち着くまでにかかる時間は、第２の低域通過フィルタ８４ａ、８４ｉの時定数により決まる。
【０１７３】
従って、時刻ｔ１以降において、第３のコンデンサー８４ｅ、８４ｍの一方の端子ａｂ１、ａｂ２は高域通過フィルタの基準電圧に接続されるため、第３のコンデンサー８４ｅ、８４ｍの他方の端子ａａ１、ａａ２のＤＣ成分が落ち着いた後では、第３のコンデンサー８４ｅ、８４ｍには、高域通過フィルタ８４の基準電圧とゲインコントロールアンプ８３の出力のＤＣ電圧の差に相当する電荷が充電された状態になる。
【０１７４】
時刻ｔ３において、第５のスイッチ８４ｂ、８４ｊと第６のスイッチ８４ｇ、８４ｏはオン状態からオフ状態に切り替わり、第７のスイッチ８４ｃ、８４ｋと第８のスイッチ８４ｆ、８４ｎはオフ状態からオン状態に切り替わる。
【０１７５】
時刻ｔ２と時刻ｔ３の間の時間が、第２の低域通過フィルタ８４ａ、８４ｉで取り出されたＤＣ成分が第３のコンデンサー８４ｅ、８４ｍの一方の端子ａａ１、ａａ２で落ち着くまでにかかる時間より長くなるように、時刻ｔ２、時刻ｔ３を選ぶ。この場合、第３のコンデンサー８４ｅ、８４ｍには、高域通過フィルタ８４の基準電圧とゲインコントロールアンプ８３の出力のＤＣ電圧の差に相当する電荷が充電されるが、この充電された電荷量は、ゲイン変化後に、第３のコンデンサー８４ｅ、８４ｍに充電される定常状態での電荷量に等しい。
【０１７６】
そのため、時刻ｔ３に、第５のスイッチ８４ｂ、８４ｊと第６のスイッチ８４ｇ、８４ｏがオン状態からオフ状態に切り替わり、第７のスイッチ８４ｃ、８４ｋと第８のスイッチ８４ｆ、８４ｎがオフ状態からオン状態に切り替わった時に、第３のコンデンサー８４ｅ、８４ｍに充電されている電荷の充放電が発生しないので、時刻ｔ３では、高域通過フィルタ８４の出力（ａｃ１、ａｃ２）においてＤＣオフセット電圧変動による過渡応答は発生しない。
【０１７７】
以上のように、ゲイン変化時においては、高域通過フィルタ８４の出力（ａｃ１、ａｃ２）では、時刻ｔ２の時にＤＣオフセット電圧変動による過渡応答が発生するが、問題の無いレベルであり、時刻ｔ３では、過渡応答が発生しない。
【０１７８】
次に、図１７（ｉ）に示す、最終出力に接続される高域通過フィルタ８８の出力（ａｇ１、ａｇ２）の過渡応答について説明する。出力（ａｇ１、ａｇ２）の過渡応答は、高域通過フィルタ８８の回路構成から、高域通過フィルタ８４の出力（ａｃ１、ａｃ２）と基本的には同じであり、時刻ｔ２の時に、過渡応答が発生するが、問題にならない程度であり、時刻ｔ３では、過渡応答は発生しない。
【０１７９】
以上のように、本発明の第８実施形態によれば、回路のゲイン可変レンジを拡大し、信号を受信している状態でゲインを大きく変化させても、最終出力におけるＤＣ電圧変動による過渡応答を抑制することができ、さらに、ゲイン切り替え時の信号の欠落も無くすことができる。
【０１８０】
（第９の実施形態）
本発明の第９の実施形態におけるダイレクトコンバージョン方式の受信回路について、図１８を参照して説明する。
【０１８１】
図１８は、本実施形態の受信回路を構成するベースバンド回路を示す。この回路は、図１５に示した第８の実施形態の回路に対して、固定ゲインアンプを削除した構成を有する。それ以外は図１５の回路と同様であり、ＬＮＡ２１、ミキサ２２、低域通過フィルタ２３、複数の高域通過フィルタ８２、８４、８８、複数のゲインコントロールアンプ９２、９３、および制御回路８９を有する。ゲインコントロールアンプ９２、９３は、０ｄＢ以上のゲインを持つ。図１８において、図１５と同じ符号を付した素子は、図１５の回路と同様の素子である。
【０１８２】
図１５の回路と同様に、制御回路８９は、ゲイン変更パルスが入力されたときに、第５のスイッチ８４ｂ、８４ｊ、８８ｂ、８８ｊと第６のスイッチ８４ｇ、８４ｏ、８８ｇ、８８ｏをショート、第７のスイッチ８４ｃ、８４ｋ、８８ｃ、８８ｋと第８のスイッチ８４ｆ、８４ｎ、８８ｆ、８８ｎをオープンにした後、ゲインコントロールアンプ８３、８７のゲインを切り替え、さらに、ゲインを切り替えてから一定時間後に、第５のスイッチ８４ｂ、８４ｊ、８８ｂ、８８ｊと第６のスイッチ８４ｇ、８４ｏ、８８ｇ、８８ｏをオープン、第７のスイッチ８４ｃ、８４ｋ、８８ｃ、８８ｋと第８のスイッチ８４ｆ、８４ｎ、８８ｆ、８８ｎをショートにする機能を有する。
【０１８３】
図１８の回路と図１５の回路を比較すると、固定ゲインアンプが無くなり、高域通過フィルタの数が減少し、ゲインコントロールアンプ９２、９３の最大ゲインが０ｄＢ以上になった以外は同じ構成であり、ゲインコントロールアンプの出力にそれぞれ接続された高域通過フィルタ８４、８８における、第５のスイッチ８４ｂ、８４ｊ、８８ｂ、８８ｊ、第６のスイッチ８４ｇ、８４ｏ、８８ｇ、８８ｏ、第７のスイッチ８４ｃ、８４ｋ、８８ｃ、８８ｋ、および第８のスイッチ８４ｆ、８４ｎ、８８ｆ、８８ｎの制御方法も同じである。
【０１８４】
従って、ゲイン切り替え時の過渡応答を図１５の回路と図１８の回路で比較した場合、図１８のゲインコントロールアンプの最大ゲインが０ｄＢ以上であるために、時刻ｔ２での図１８のゲインコントロールアンプ９２、９３の出力ＤＣオフセット電圧変動は、図１５のゲインコントロールアンプ８３、８７の出力ＤＣオフセット電圧変動より大きくなるため、図１８の最終出力での過渡応答は図１５の過渡応答より大きくなるが、高域通過フィルタ８４、８８の第２のコンデンサー８４ｄ、８４ｌ、８８ｄ、８８ｌと第３のコンデンサー８４ｅ、８４ｍ、８８ｅ、８８ｍの定数を最適な値に選ぶことにより、過渡応答の大きさを問題の無い大きさにすることができる。
【０１８５】
また、図１５の回路と比較して、図１８の回路では固定ゲインアンプを削除でき、さらに高域通過フィルタの数を減らすことができるために、回路規模を小さくすることができる。
【０１８６】
以上のように、本発明の第９実施形態によれば、回路規模の増大を押さえながら、回路のゲイン可変レンジを拡大し、信号を受信している状態でゲインを大きく変化させても、最終出力におけるＤＣ電圧変動による過渡応答を抑制することができ、さらに、ゲイン切り替え時の信号の欠落も無くすことができる。
【０１８７】
（第１０の実施形態）
本発明の第１０の実施形態におけるダイレクトコンバージョン方式の受信回路について、図１９を参照して説明する。
【０１８８】
図１９は、本実施形態の受信回路を構成するベースバンド回路を示す。この回路は、例えば携帯電話を構成する回路であり、アンテナ１０１と、アンテナ共有器１０２と、バンドパスフィルタ１０３と、第１〜第９の実施形態のいずれかの構成を有する受信回路１０４と、送信回路１０５とを備えている。アンテナ共用器１０２の固定端子部にアンテナ１０１が接続されている。アンテナ共用器１０２の一方の切り替え端子が、バンドパスフィルタ１０３の入力側に接続され、バンドパスフィルタ１０３の出力が受信回路１０４の入力側に接続されている。アンテナ共用器１０２の他方の切り替え端子が、送信回路１０５の出力側に接続されている。
【０１８９】
受信回路１０４に含まれるＬＮＡは、バンドパスフィルタ１０３とアンテナ共用器１０２の間に移動させても良い。
【０１９０】
この構成によれば、ゲイン切り替え時に信号を受信している状態でゲインを大きく変化させても、過渡応答を抑制することができるために、受信信号の品質を保持できる。
【０１９１】
以上のように、本発明の第１０実施形態によれば、信号を受信している状態でゲインを大きく変化させても、受信品質の劣化が抑制される携帯電話を提供することができる。
【産業上の利用可能性】
【０１９２】
本発明の受信回路によれば、信号を受信している状態でゲインを大きく変化させても、過渡応答を抑制することができるため、受信信号の品質を保持できる優れた無線通信受信回路及び携帯電話を実現できる。
【図面の簡単な説明】
【０１９３】
【図１】本発明の第１の実施形態における無線通信受信回路の構成を示す回路図
【図２】同無線通信受信回路の効果を説明する図
【図３】同無線通信受信回路の過渡応答を示す波形図
【図４】本発明の第２の実施形態における無線通信受信回路の構成を示す回路図
【図５】同無線通信受信回路の過渡応答を示す波形図
【図６】本発明の第３の実施形態における無線通信受信回路の構成を示す回路図
【図７】本発明の第４の実施形態における無線通信受信回路の構成を示す回路図
【図８】同無線通信受信回路の過渡応答を示す波形図
【図９】同無線通信受信回路の過渡応答を示す波形図
【図１０】本発明の第５の実施形態における無線通信受信回路の構成を示す回路図
【図１１】本発明の第６の実施形態における無線通信受信回路の構成を示す回路図
【図１２】同無線通信受信回路の過渡応答を示す波形図
【図１３】同無線通信受信回路の過渡応答を示す波形図
【図１４】本発明の第７の実施形態における無線通信受信回路の構成を示す回路図
【図１５】本発明の第８の実施形態における無線通信受信回路の構成を示す回路図
【図１６】同無線通信受信回路の過渡応答を示す波形図
【図１７】同無線通信受信回路の過渡応答をを示す波形図
【図１８】本発明の第９の実施形態における無線通信受信回路の構成を示す回路図
【図１９】本発明の第１０の実施形態における無線通信受信回路の構成を示すブロック回路図
【図２０】従来例の無線通信受信回路の構成を示す回路図
【図２１】同無線通信受信回路におけるゲイン切り替え時の過渡応答を示す波形図
【図２２】他の従来例の無線通信受信回路の構成を示す回路図
【符号の説明】
【０１９４】
１、２１、２１１  ＬＮＡ
２、２２、２１２  ミキサ
３、２３、２０１、２１３  低域通過フィルタ
４、２４、２８、４２、４７、６１、６７、８１、８５  固定ゲインアンプ
５、２５、２７、２９、３１、４１、４４、４６、４８、５０、８２、８４、８６、８８、２０３、２０５、２０７、２１５  高域通過フィルタ
６、２６、３０、４５、４９、５４、５５、６５、６９、７４、７５、６２、６４、８３、８７、９２、９３、２０２、２０４、２０６、２１４、３０１、３０２  ゲインコントロールアンプ
３２、３３  第１のスイッチ
３４、３５  第２のスイッチ
３６、５１、７１、８９、２０９  制御回路
３７、３８、５２、５３、７２、７３、９０、９１  複合アンプ
３９  インバータ
４３  ダミーアンプ
４６ａ、４６ｂ、５０ａ、５０ｂ、６４ａ、６４ｂ、６８ａ、６８ｂ  第３のスイッチ
４６ｃ、４６ｄ、５０ｃ、５０ｄ、６４ｃ、６４ｄ、６８ｃ、６８ｄ  第１のコンデンサ
４６ｅ、４６ｆ、５０ｅ、５０ｆ、６４ｅ、６４ｆ、６８ｅ、６８ｆ  第１の抵抗
６２、６３  第４のスイッチ
８４ｂ、８４ｊ、８８ｂ、８８ｊ  第５のスイッチ
８４ｇ、８４ｏ、８８ｇ、８８ｏ  第６のスイッチ
８４ｃ、８４ｋ、８８ｃ、８８ｋ  第７のスイッチ
８４ｆ、８４ｎ、８８ｆ、８８ｎ  第８のスイッチ
８４ｄ、８４ｌ、８８ｄ、８８ｌ  第２のコンデンサー
８４ｅ、８４ｍ、８８ｅ、８８ｍ  第３のコンデンサー
８４ｈ、８４ｐ、８８ｈ、８８ｐ  第２の抵抗
８４ａ、８４ｉ、８８ａ、８８ｉ  第２の低域通過フィルタ
１０１  アンテナ
１０２  アンテナ共用機
１０３  バンドパスフィルタ
１０４  受信回路
１０５  送信回路
２０８  利得分配回路
ａ１、ａ２  図１の回路の出力
ｂ１、ｂ２  ゲインコントロールアンプ２６の出力
ｃ１、ｃ２  高域通過フィルタ３１の出力
ｄ１、ｄ２  最終出力
ｅ  制御回路入力線
ｆ  ゲイン制御線
ｇ  スイッチ制御線
ｈ１、ｈ２  高域通過フィルタ４１の出力
ｉ１、ｉ２  固定ゲインアンプ４２の出力
ｊ１、ｊ２  ゲインコントロールアンプ４５の出力
ｋ１、ｋ２  高域通過フィルタ４６の出力
ｌ１、ｌ２  高域通過フィルタ５０の出力
ｍ  ゲイン制御線
ｎ  スイッチ制御線
ｏ  アンプ制御線
ｐ１、ｐ２  ゲインコントロールアンプ４９の出力
ｑ１、ｑ２  低域通過フィルタ２３の出力
ｒ１、ｒ２  第４のスイッチの６２、６３の出力
ｓ１、ｓ２  ゲインコントロールアンプ６５の出力
ｔ１、ｔ２  高域通過フィルタ６６の出力
ｕ１、ｕ２  ゲインコントロールアンプ６９の出力
ｖ１、ｖ２  高域通過フィルタ７０の出力
ｗ  ゲイン制御線
ｘ  高域通過フィルタスイッチ制御線
ｙ  信号スイッチ制御線
ｚ１、ｚ２  ゲインコントロールアンプ８３の出力
ａａ１、ａａ２、ａｂ１、ａｂ２  端子
ａｃ１、ａｃ２  高域通過フィルタ８４の出力
ａｇ１、ａｇ２  高域通過フィルタ８８の出力
ａｈ  ゲイン制御線
ａｉ  高域通過フィルタ第１スイッチ制御線
ａｊ  高域通過フィルタ第２スイッチ制御線
２ａ  入力
２ｂ  出力
２ｃ  高域通過フィルタ２０５の出力
２ｄ  ゲインコントロールアンプ２０６の出力
２ｅ  利得制御信号
２ｆ  ゲインの制御線
２ｇ  低域遮断周波数を制御する制御線
２ｈ１、１ｈ２  ゲインコントロールアンプ２１４の出力
２ｉ１、２ｉ２  高域通過フィルタ２１５の出力
【図１】
2006295638.tif 000003
【図２】
2006295638.tif 000004
【図３】
2006295638.tif 000005
【図４】
2006295638.tif 000006
【図５】
2006295638.tif 000007
【図６】
2006295638.tif 000008
【図７】
2006295638.tif 000009
【図８】
2006295638.tif 000010
【図９】
2006295638.tif 000011
【図１０】
2006295638.tif 000012
【図１１】
2006295638.tif 000013
【図１２】
2006295638.tif 000014
【図１３】
2006295638.tif 000015
【図１４】
2006295638.tif 000016
【図１５】
2006295638.tif 000017
【図１６】
2006295638.tif 000018
【図１７】
2006295638.tif 000019
【図１８】
2006295638.tif 000020
【図１９】
2006295638.tif 000021
【図２０】
2006295638.tif 000022
【図２１】
2006295638.tif 000023
【図２２】
2006295638.tif 000024